(57)【要約】本発明は、牽引要素を有する履物類および同物品を製造するためのシステムおよび方法に関する。例示的靴は、靴甲と、靴底板とを含み、靴底板は、第１の牽引要素であって、遠位端と、中心コアから延在する延在部を伴う側壁とを有する、第１の牽引要素を含む、第１の靴底部分と、第２の牽引要素であって、１つまたはそれを上回る側面において、第１の牽引要素の対応する幾何学的特徴と異なる、少なくとも１つの幾何学的特徴を有する、第２の牽引要素を含む、第２の靴底部分とを有する、地面接触のために適合される下面を含む。
2018519056.tif 000002
【特許請求の範囲】
【請求項１】
履物類用の靴底板であって、
地面接触のために適合される下面であって、
複数の第１の牽引要素を備える、第１の靴底部分であって、前記第１の牽引要素は、遠位端と、中心コアから延在する複数の延在部を備える側壁とを備える、第１の靴底部分と、
複数の第２の牽引要素を備える、第２の靴底部分であって、前記第２の牽引要素は、少なくとも１つの側面において、前記第１の牽引要素の対応する幾何学的特徴と異なる、少なくとも１つの幾何学的特徴を有する、第２の靴底部分と、
を備える、下面
を備える、靴底板。
【請求項２】
前記第１の牽引要素は、前記中心コアから延在する、３つのテーパ状延在部を備える、請求項１に記載の靴底板。
【請求項３】
前記第１の靴底部分の第１の領域中の少なくとも１つの第１の牽引要素の配向は、前記第１の靴底部分の第２の領域中の少なくとも１つの第１の牽引要素の配向と異なる、請求項１に記載の靴底板。
【請求項４】
前記第２の牽引要素は、遠位端と、実質的に六角形の断面を備える側壁とを備える、請求項１に記載の靴底板。
【請求項５】
前記第２の牽引要素は、遠位端と、実質的に円形の断面、実質的に卵形の断面、および実質的に多角形の断面のうちの少なくとも１つを備える、側壁とを備え、前記多角形断面は、三角形、正方形、長方形、五角形、または六角形の多角形のうちの少なくとも１つを備える、請求項１に記載の靴底板。
【請求項６】
前記第２の靴底部分は、前記履物類の着用者の足の第１の中足領域に近接して実質的に三角形のパターンで配列される、３つの第２の牽引要素を備える、請求項１に記載の靴底板。
【請求項７】
前記実質的に三角形のパターンで配列される前記３つの第２の牽引要素は、実質的に同一の高さを有する、請求項６に記載の靴底板。
【請求項８】
前記第２の靴底部分はさらに、前記履物類の前記着用者の前記足の内側前足領域の中に位置付けられる第４の第２の牽引要素を備える、請求項６に記載の靴底板。
【請求項９】
前記第２の靴底部分は、前記靴底板の内側縁から前記靴底板の中心領域まで延在し、前記第１の靴底部分は、前記靴底板の外側縁から、前記靴底板の中足領域、前記靴底板の前足領域、および前記履物類の着用者の足の中足領域のうちの少なくとも１つに近接して前記靴底板の中心領域まで延在する、請求項１に記載の靴底板。
【請求項１０】
前記第２の靴底部分は、前記靴底板の幅の約５０％〜約８０％の最大値にわたって前記内側縁から前記中心領域まで延在する、請求項９に記載の靴底板。
【請求項１１】
前記第２の靴底部分は、
前記靴底板の縁に近接する第１の縁と、
前記靴底板の前記縁から前記靴底板の中心領域まで延在する、第２の縁と、
前記靴底板の前記縁から前記靴底板の前記中心領域まで延在する、第３の縁であって、前記第２の縁および前記第３の縁は、前記靴底板の前記中心領域中で合流して交わる、第３の縁と、
を備える、請求項１に記載の靴底板。
【請求項１２】
前記第１の靴底部分および第２の靴底部分は、１つまたはそれを上回る撓曲溝によって分離される、請求項１に記載の靴底板。
【請求項１３】
前記第１の靴底部分は、第１の材料を備え、前記第２の靴底部分は、前記第１の材料と異なる第２の材料を備える、請求項１に記載の靴底板。
【請求項１４】
前記第１の材料は、ナイロンを備え、前記第２の材料は、熱可塑性ポリウレタンを備える、請求項１３に記載の靴底板。
【請求項１５】
前記第１の靴底部分は、前記第２の靴底部分に結合されることと、前記第２の靴底部分と共同成形されることとのうちの少なくとも１つである、請求項１に記載の靴底板。
【請求項１６】
前記第１の牽引要素および第２の牽引要素のうちの少なくとも１つは、金属を備える、請求項１に記載の靴底板。
【請求項１７】
少なくとも１つの第１の牽引要素および少なくとも１つの第２の牽引要素は、金属を備え、少なくとも１つの第１の牽引要素および少なくとも１つの第２の牽引要素は、熱可塑性ポリウレタンを備える、請求項１に記載の靴底板。
【請求項１８】
前記第１の牽引要素および前記第２の牽引要素はそれぞれ、熱可塑性ポリウレタンを備える、請求項１に記載の靴底板。
【請求項１９】
前記第１の靴底部分および前記第２の靴底部分のうちの少なくとも１つはさらに、トレッドパターンおよび複数の第３の牽引要素のうちの少なくとも１つを備える、請求項１に記載の靴底板。
【請求項２０】
前記第３の牽引要素は、複数の相互接続された伸長要素によって接続される、請求項１９に記載の靴底板。
【請求項２１】
前記第１の靴底部分および前記第２の靴底部分のうちの少なくとも１つはさらに、構造支持要素を備える、請求項１に記載の靴底板。
【請求項２２】
前記構造支持要素は、複数の相互接続された伸長要素を備える、請求項２１に記載の靴底板。
【請求項２３】
靴甲と、
靴底であって、前記靴底は、地面接触のために適合される下面を備える靴底板を備え、前記下面は、
複数の第１の牽引要素を備える、第１の靴底部分であって、前記第１の牽引要素は、遠位端と、中心コアから延在する複数の延在部を備える側壁とを備える、第１の靴底部分と、
複数の第２の牽引要素を備える、第２の靴底部分であって、前記第２の牽引要素は、少なくとも１つの側面において、前記第１の牽引要素の対応する幾何学的特徴と異なる、少なくとも１つの幾何学的特徴を有する、第２の靴底部分と、
を備える、靴底と、
を備える、履物類。
【請求項２４】
前記靴甲は、第１の表面テクスチャを有する、第１の靴甲部分と、第２の表面テクスチャを有する、第２の靴甲部分とを備える、請求項２３に記載の履物類。
【請求項２５】
前記第１の表面テクスチャは、複数の実質的に均等に分布したくぼみを備える、請求項２４に記載の履物類。
【請求項２６】
前記第２の表面テクスチャは、複数の実質的に平行な隆起を備える、請求項２４に記載の履物類。
【請求項２７】
前記平行隆起は、前記履物類の縦軸に対して約３０°〜約６０°の角度で配向される、請求項２６に記載の履物類。
【請求項２８】
前記平行隆起は、前記履物類の縦軸に対して約４５°の角度で配向される、請求項２７に記載の履物類。
【請求項２９】
前記第２の表面テクスチャは、少なくとも前記靴甲の内側前足部分を覆って延在する、請求項２４に記載の履物類。
【請求項３０】
前記第１の靴甲部分および前記第２の靴甲部分のうちの少なくとも１つは、多層材料を備え、前記多層材料は、
前記履物類の内部に近接する第１の材料層と、
前記履物類の外部に近接する第２の材料層と、
前記第１の材料層と前記第２の材料層との間に位置する第３の材料層であって、発泡材料を備える、第３の材料層と、
を備える、請求項２４に記載の履物類。
【請求項３１】
前記第３の材料層は、それを通って延在する、複数の実質的に均等に分布した孔を有する、材料の層を備える、請求項３０に記載の履物類。
【請求項３２】
前記履物類の中足領域に近接する前記靴甲の少なくとも一部はさらに、その外面上に少なくとも１つの支持構造を備え、前記支持構造は、材料の第４の層を備える、請求項３０に記載の履物類。
【請求項３３】
前記多層材料は、前記履物類の内側中足領域、前足領域、および外側中足領域のうちの少なくとも一部を覆って延在する、請求項３０に記載の履物類。
【請求項３４】
靴甲と、
靴底であって、前記靴底は、地面接触のために適合される下面を備える靴底板を備え、前記下面は、
複数の第１の牽引要素を備える、第１の靴底部分であって、前記第１の牽引要素は、遠位端と、中心コアから延在する複数の延在部を備える側壁とを備える、第１の靴底部分と、
複数の第２の牽引要素を備える、第２の靴底部分であって、前記第２の牽引要素は、遠位端と、実質的に円形または六角形の断面を有する側壁とを備え、（ｉ）前記第２の靴底部分は、前記靴底板の中足領域および前足領域のうちの少なくとも１つに近接して、前記靴底板の前記下面の内側部分を覆って延在し、（ｉｉ）前記第２の靴底部分は、前記履物類の着用者の足の第１の中足領域および前記履物類の前記着用者の前記足の内側前足領域の中に位置付けられる第４の第２の牽引要素に近接して、実質的に三角形のパターンで配列される、３つの第２の牽引要素を備え、（ｉｉｉ）前記第１の靴底部分は、第１の材料を備え、前記第２の靴底部分は、前記第１の材料と異なる第２の材料を備える、第２の靴底部分と、
を備える、靴底と、
を備える、履物類。
【請求項３５】
靴甲と、
靴底であって、前記靴底は、地面接触のために適合される下面を備える靴底板を備え、前記下面は、
複数の第１の牽引要素を備える、第１の靴底部分であって、前記第１の牽引要素は、遠位端と、中心コアから延在する複数の延在部を備える側壁とを備える、第１の靴底部分と、
複数の第２の牽引要素を備える、第２の靴底部分であって、前記第２の牽引要素は、遠位端と、中心コアから延在する複数の延在部を備える側壁とを備え、（ｉ）前記第２の靴底部分は、前記靴底板の中足領域および前足領域のうちの少なくとも１つに近接して、前記靴底板の前記下面の内側部分を覆って延在し、（ｉｉ）前記第１の靴底部分は、第１の材料を備え、前記第２の靴底部分は、前記第１の材料と異なる第２の材料を備え、（ｉｉｉ）前記第１の靴底部分の第１の領域中の少なくとも１つの第１の牽引要素の配向は、前記第１の靴底部分の第２の領域中の少なくとも１つの第１の牽引要素の配向と異なり、（ｉｖ）前記第２の靴底部分はさらに、複数の第３の牽引要素を備える、第２の靴底部分と、
を備える、靴底と、
を備える、履物類。
【発明の詳細な説明】
【技術分野】
【０００１】
（関連出願の相互参照）
本願は、２０１５年６月１６日に出願された同時係属中の米国出願第１４／７４１，０９４号に対する優先権およびその利益を主張するものであり、これは、２０１３年１２月１９日に出願された米国出願第１４／１３４，９４８号の一部継続出願であり、これは、２０１２年１２月１９日に出願された米国仮特許出願第６１／７３９，３４６号に対する優先権およびその利益を主張するものであり、これらの開示は、全体が参照により本明細書中に援用される。
【０００２】
本発明は、概して、履物の分野に関し、より具体的には、その上に牽引要素を伴う靴底板を有する、履物類に関する。
【背景技術】
【０００３】
履物類の性能および快適性の多くの側面は、履物の着用者の種々の性能および身体的特性に依存する。例えば、歩幅、歩行速度、足衝打場所、回内／回外、走り方、および走行速度は、着用されている履物の要素による影響を受け得る。加えて、身長、体重、靴のサイズ、足の形状、脚の形状およびサイズ等の競技者の身体的特性が、競技者および着用されている履物類の性能に影響を及ぼし得る。
【０００４】
各個別競技者は、性能および身体的特性のユニークなセットと、審美的および性能要件のユニークなセットとを有するが、競技者は、概して、履物を選択するときに、ブランド、スタイル、サイズ、幅、および（ランニング用スパイクおよび滑り止め付き履物について）スパイクサイズおよび形状等の基本的選択肢に限定されており、完全にカスタマイズされた履物が、従来の製造技法および製品流通経路の下では対応不可能な個人の具体的性能および審美的要件に対処する。
【発明の概要】
【課題を解決するための手段】
【０００５】
本発明は、カスタマイズされた履物、衣服、およびスポーツ用品、およびそれらの要素、および同製品を設計して製造するための関連システムおよび方法を対象とする。
【０００６】
本発明の一側面は、履物類用の靴底板を含む。靴底板は、地面接触のために適合される下面を含み、下面は、複数の第１の牽引要素を有する、第１の靴底部分であって、第１の牽引要素は、遠位端と、中心コアから延在する複数の延在部を備える側壁とを備える、第１の靴底部分と、複数の第２の牽引要素を有する、第２の靴底部分であって、第２の牽引要素は、少なくとも１つの側面において、第１の牽引要素の対応する幾何学的特徴と異なる、少なくとも１つの幾何学的特徴を有する、第２の靴底部分とを含む。一実施形態では、第１の牽引要素の側壁は、中心コアから延在する、３つのテーパ状延在部を含む、または本質的にそれらから成る。第１の靴底部分の第１の領域中の少なくとも１つの第１の牽引要素の配向は、第１の靴底部分の第２の領域中の少なくとも１つの第１の牽引要素の配向と異なり得る。一実施形態では、第２の牽引要素は、遠位端と、実質的に六角形の断面を含む、または本質的にそれから成る、側壁とを有する。代替として、第２の牽引要素は、遠位端と、実質的に円形の断面、実質的に卵形の断面、および実質的に多角形の断面のうちの少なくとも１つを有する、側壁とを有してもよく、多角形断面は、三角形、正方形、長方形、五角形、または六角形の多角形のうちの少なくとも１つを備える。
【０００７】
一実施形態では、第２の靴底部分は、履物類の着用者の足の第１の中足領域に近接して実質的に三角形のパターンで配列される、３つの第２の牽引要素を含む。実質的に三角形のパターンで配列される３つの第２の牽引要素は、実質的に同一の高さを有してもよい、または高さが異なってもよい。第２の靴底部分はさらに、履物類の着用者の足の内側前足領域の中に位置付けられる第４の第２の牽引要素を含んでもよい。
【０００８】
第２の靴底部分は、靴底板の内側縁から靴底板の中心領域まで延在することができ、第１の靴底部分は、靴底板の外側縁から、靴底板の中足領域、靴底板の前足領域、および履物類の着用者の足の中足領域のうちの少なくとも１つに近接して靴底板の中心領域まで延在することができる。一実施形態では、第２の靴底部分は、靴底板の幅の約５０％〜約８０％の最大値にわたって内側縁から中心領域まで延在する。一実施形態では、第２の靴底部分は、靴底板の縁に近接する第１の縁と、靴底板の縁から靴底板の中心領域まで延在する、第２の縁と、靴底板の縁から靴底板の中心領域まで延在する、第３の縁であって、第２の縁および第３の縁は、靴底板の中心領域中で合流して交わる、第３の縁とを含む。
【０００９】
一実施形態では、第１の靴底部分および第２の靴底部分は、１つまたはそれを上回る撓曲溝によって分離される。一実施形態では、第１の靴底部分は、第１の材料を含み、または本質的にそれから成り、第２の靴底部分は、第１の材料と異なる第２の材料を含む、または本質的にそれから成る。第１の材料および／または第２の材料は、ナイロンおよび／または熱可塑性ポリウレタン（ＴＰＵ）を含んでもよい、または本質的にそれから成ってもよい。第１の靴底部分は、第２の靴底部分に結合されてもよい、それと共同成形されてもよい、それに機械的に取り付けられてもよい、または別様にそれに取り外し可能または恒久的に取り付けられてもよい。一実施形態では、第１のおよび／または第２の牽引要素のうちの１つ、いくつか、または全ては、金属部分、例えば、金属遠位端部分を含むことができる。金属は、限定されないが、アルミニウムまたは鋼鉄等の任意の適切な金属を含むことができる。一実施形態では、第１および第２の牽引要素のうちの少なくとも１つまたはそれを上回るものは、金属遠位端を有し、第１および第２の牽引要素のうちの少なくとも１つまたはそれを上回るものは、ＴＰＵ遠位端を有する。一実施形態では、第１および第２の牽引要素はそれぞれ、ＴＰＵ遠位端を有する。
【００１０】
一実施形態では、第１の靴底部分および第２の靴底部分のうちの少なくとも１つはさらに、トレッドパターンおよび複数の第３の牽引要素のうちの少なくとも１つを含む。第３の牽引要素は、例えば、複数の相互接続された伸長要素によって接続される隆起延在部を含んでもよい。一実施形態では、第１の靴底部分および第２の靴底部分のうちの少なくとも１つはさらに、構造支持要素を含み、構造支持要素は、例えば、複数の相互接続された伸長要素を含む。
【００１１】
本発明の別の側面は、靴甲と、靴底であって、地面接触のために適合される下面を備える靴底板を含む、靴底とを含む、履物類を含む。靴底板の下面は、複数の第１の牽引要素を有する、第１の靴底部分であって、第１の牽引要素は、遠位端と、中心コアから延在する複数の延在部を含む側壁とを有する、第１の靴底部分と、複数の第２の牽引要素を有する、第２の靴底部分であって、第２の牽引要素は、少なくとも１つの側面において、第１の牽引要素の対応する幾何学的特徴と異なる、少なくとも１つの幾何学的特徴を有する、第２の靴底部分とを含むことができる。
【００１２】
一実施形態では、靴甲は、第１の表面テクスチャを有する、第１の靴甲部分と、第２の表面テクスチャを有する、第２の靴甲部分とを含む。第１の表面テクスチャが、例えば、複数の実質的に均等に分布したくぼみ（例えば、卵形、円形、または多角形のくぼみ）を含んでもよい一方で、第２の表面テクスチャは、例えば、複数の実質的に平行な隆起を含んでもよい。隆起は、一実施形態では、履物類の縦軸に対して約３０°〜約６０°の角度で、例えば、履物類の縦軸に対して約４５°の角度で配向されてもよい。第２の表面テクスチャは、靴甲の任意の適切な領域を覆って延在することができ、例えば、靴甲の内側前足部分を覆って延在することができる。
【００１３】
第１の靴甲部分および第２の靴甲部分のうちの少なくとも１つは、多層材料を含む、または本質的にそれから成ることができる。多層材料は、例えば、履物類の内部に近接する第１の材料層と、履物類の外部に近接する第２の材料層と、第１の材料層と第２の材料層との間に位置する第３の材料層であって、発泡材料を含む、または本質的にそれから成る、第３の材料層とを含んでもよい。第３の材料層は、それを通って延在する、複数の実質的に均等に分布した孔であって、卵形、円形、または多角形断面のうちの少なくとも１つを有する、孔を有する、材料の層を含むことができる。一実施形態では、履物類の中足領域に近接する靴甲の少なくとも一部はさらに、その外面上に少なくとも１つの支持構造を含み、支持構造は、材料の第４の層から成る。一実施形態では、多層材料は、履物類の内側中足領域、前足領域、および外側中足領域のうちの少なくとも一部を覆って延在する。
【００１４】
本発明の別の側面は、靴甲と、靴底であって、地面接触のために適合される下面を有する靴底板を含む、靴底とを含む、履物類を含み、下面は、複数の第１の牽引要素を有する、第１の靴底部分を含み、第１の牽引要素は、遠位端と、中心コアから延在する複数の延在部を有する側壁とを有する。下面はさらに、複数の第２の牽引要素を有する、第２の靴底部分を含み、第２の牽引要素は、遠位端と、実質的に円形または六角形の断面を有する側壁とを有し、（ｉ）第２の靴底部分は、靴底板の中足領域および前足領域のうちの少なくとも１つに近接して、靴底板の下面の内側部分を覆って延在し、（ｉｉ）第２の靴底部分は、履物類の着用者の足の第１の中足領域および履物類の着用者の足の内側前足領域の中に位置付けられる第４の第２の牽引要素に近接して、実質的に三角形のパターンで配列される、３つの第２の牽引要素を含み、（ｉｉｉ）第１の靴底部分は、第１の材料を含み、または本質的にそれから成り、第２の靴底部分は、第１の材料と異なる第２の材料を含む、または本質的にそれから成る。
【００１５】
本発明のさらに別の側面は、靴甲と、靴底であって、地面接触のために適合される下面を有する靴底板を含む、靴底とを含む、履物類を含む。下面は、複数の第１の牽引要素を有する、第１の靴底部分を含み、第１の牽引要素は、遠位端と、中心コアから延在する複数の延在部を有する側壁とを有する。下面はさらに、複数の第２の牽引要素を有する、第２の靴底部分を含み、第２の牽引要素は、遠位端と、中心コアから延在する複数の延在部を有する側壁とを有し、（ｉ）第２の靴底部分は、靴底板の中足領域および前足領域のうちの少なくとも１つに近接して、靴底板の下面の内側部分を覆って延在し、（ｉｉ）第１の靴底部分は、第１の材料を含み、または本質的にそれから成り、第２の靴底部分は、第１の材料と異なる第２の材料を含み、または本質的にそれから成り、（ｉｉｉ）第１の靴底部分の第１の領域中の少なくとも１つの第１の牽引要素の配向は、第１の靴底部分の第２の領域中の少なくとも１つの第１の牽引要素の配向と異なり、（ｉｖ）第２の靴底部分はさらに、複数の第３の牽引要素を含む。
【００１６】
これらおよび他の目的は、本明細書に開示される本発明の利点および特徴とともに、以下の説明、付随の図面、および請求項の参照を通して、より明白となるであろう。さらに、本明細書に説明される種々の実施形態の特徴は、相互排他的ではなく、種々の組み合わせおよび順列で存在し得ることを理解されたい。
【図面の簡単な説明】
【００１７】
図面では、同様の参照記号は、概して、異なる図の全体を通して同一の部品を指す。また、図面は、必ずしも一定の縮尺ではなく、代わりに、概して、本発明の原理を例証することが強調される。以下の説明では、本発明の種々の実施形態が、以下の図面を参照して説明される。
【００１８】
【図１】図１は、本発明の一実施形態による、ユーザのためにカスタマイズされた履物類の靴底の少なくとも一部を設計する方法のフローチャートである。
【００１９】
【図２】図２は、本発明の一実施形態による、競技者の性能特性を表す実験データを取得するためのシステムの概略図である。
【００２０】
【図３】図３は、本発明の一実施形態による、履物類の概略的斜視図である。
【００２１】
【図４Ａ】図４Ａは、本発明の一実施形態による、履物類の座標系の側面図である。
【００２２】
【図４Ｂ】図４Ｂは、本発明の一実施形態による、履物類の別の座標系の側面図である。
【００２３】
【図５Ａ】図５Ａは、本発明の一実施形態による、履物類用の圧力感知内底の平面図である。
【００２４】
【図５Ｂ】図５Ｂは、本発明の一実施形態による、履物類用の別の圧力感知内底の平面図である。
【００２５】
【図６Ａ】図６Ａは、本発明の一実施形態による、走行運動中に最初の踵が衝打する地面接触を受ける、競技者の足の圧力分布の概略図である。
【００２６】
【図６Ｂ】図６Ｂは、走行運動のつま先が離れる段階を受ける、図６Ａの競技者の足の圧力分布の概略図である。
【００２７】
【図６Ｃ】図６Ｃは、競技トラックのコーナ部分を走りながら走行運動のつま先が離れる段階を受ける、図６Ａの競技者の左右の足の両方の圧力分布の概略図である。
【００２８】
【図７Ａ】図７Ａは、本発明の一実施形態による、走行運動中に最初の中足が衝打する地面接触を受ける、競技者の足の圧力分布の概略図である。
【００２９】
【図７Ｂ】図７Ｂは、走行運動のつま先が離れる段階を受ける、図７Ａの競技者の足の圧力分布の概略図である。
【００３０】
【図７Ｃ】図７Ｃは、競技トラックのコーナ部分を走りながら走行運動のつま先が離れる段階を受ける、図７Ａの競技者の左右の足の両方の圧力分布の概略図である。
【００３１】
【図８Ａ】図８Ａは、本発明の一実施形態による、走行運動中に最初の中足が衝打する地面接触を受ける、別の競技者の足の圧力分布の概略図である。
【００３２】
【図８Ｂ】図８Ｂは、走行運動のつま先が離れる段階を受ける、図８Ａの競技者の足の圧力分布の概略図である。
【００３３】
【図８Ｃ】図８Ｃは、競技トラックのコーナ部分を走りながら走行運動のつま先が離れる段階を受ける、図８Ａの競技者の左右の足の両方の圧力分布の概略図である。
【００３４】
【図９Ａ】図９Ａは、本発明の一実施形態による、走行運動中に最初の前足が衝打する地面接触を受ける、別の競技者の足の圧力分布の概略図である。
【００３５】
【図９Ｂ】図９Ｂは、走行運動のつま先が離れる段階を受ける、図９Ａの競技者の足の圧力分布の概略図である。
【００３６】
【図９Ｃ】図９Ｃは、競技トラックのコーナ部分を走りながら走行運動のつま先が離れる段階を受ける、図９Ａの競技者の左右の足の両方の圧力分布の概略図である。
【００３７】
【図１０Ａ】図１０Ａは、本発明の一実施形態による、走行運動の踵衝打型地面接触段階を受ける、競技者の圧力データ測定および圧力計算の中心の概略図である。
【００３８】
【図１０Ｂ】図１０Ｂは、本発明の一実施形態による、走行運動の中足衝打型地面接触段階を受ける、競技者の圧力データ測定および圧力データの中心の概略図である。
【００３９】
【図１０Ｃ】図１０Ｃは、本発明の一実施形態による、走行運動の中足衝打型地面接触段階を受ける、別の競技者の圧力データ測定および圧力データの中心の概略図である。
【００４０】
【図１０Ｄ】図１０Ｄは、本発明の一実施形態による、走行運動の前足衝打型地面接触段階を受ける、別の競技者の圧力データ測定および圧力データの中心の概略図である。
【００４１】
【図１１Ａ】図１１Ａは、本発明の一実施形態による、踵が衝打する走り方に対する走行運動の地面接触段階中の履物類と地面との間の力測定のグラフである。
【００４２】
【図１１Ｂ】図１１Ｂは、本発明の一実施形態による、中足が衝打する走り方に対する走行運動の地面接触段階中の履物類と地面との間の力測定のグラフである。
【００４３】
【図１２Ａ】図１２Ａは、本発明の一実施形態による、走行運動の最初の踵が衝打する地面接触段階中の履物類の内底内の複数の圧力センサ上の圧力測定の概略図である。
【００４４】
【図１２Ｂ】図１２Ｂは、走行運動の中間地面接触段階中の図１２Ａの内底内の圧力測定の概略図である。
【００４５】
【図１２Ｃ】図１２Ｃは、走行運動のつま先が離れる段階中の図１２Ａの内底内の圧力測定の概略図である。
【００４６】
【図１３Ａ】図１３Ａは、本発明の一実施形態による、走行運動の最初の踵が衝打する地面接触段階中の力および局所的圧力データの両方の概略図である。
【００４７】
【図１３Ｂ】図１３Ｂは、走行運動の地面接触段階中の図１３Ａの靴の力および局所的圧力データの両方の概略図である。
【００４８】
【図１３Ｃ】図１３Ｃは、走行運動のつま先が離れる段階中の図１３Ａの靴の力および局所的圧力データの両方の概略図である。
【００４９】
【図１４Ａ】図１４Ａは、本発明の一実施形態による、走行運動の最初の踵が衝打する地面接触段階中の圧力および分散性能測定基準データの概略図である。
【００５０】
【図１４Ｂ】図１４Ｂは、走行運動の地面接触段階中の図１４Ａの靴の圧力および分散性能測定基準データの両方の概略図である。
【００５１】
【図１４Ｃ】図１４Ｃは、走行運動のつま先が離れる段階中の図１４Ａの靴の圧力および分散性能測定基準データの両方の概略図である。
【００５２】
【図１５Ａ】図１５Ａは、図１４Ａの分散性能測定基準データの概略図である。
【００５３】
【図１５Ｂ】図１５Ｂは、図１４Ｂの分散性能測定基準データの概略図である。
【００５４】
【図１５Ｃ】図１５Ｃは、図１４Ｃの分散性能測定基準データの概略図である。
【００５５】
【図１６Ａ】図１６Ａは、本発明の一実施形態による、図１４Ａ−１４Ｃの複合分散性能測定基準データの概略図である。
【００５６】
【図１６Ｂ】図１６Ｂは、図１６Ａの性能測定基準データに基づく構造特性を有する、履物類用の外底の概略平面図である。
【００５７】
【図１６Ｃ】図１６Ｃは、図１６Ａの性能測定基準データに基づく構造特性を有する、履物類用の別の外底の概略平面図である。
【００５８】
【図１７】図１７Ａ−１７Ｂは、本発明の一実施形態による、履物類の外底要素用の牽引要素の平面および側面図である。図１７Ｃ−１７Ｄは、本発明の一実施形態による、履物類の外底要素用の別の牽引要素の平面および側面図である。図１７Ｅ−１７Ｆは、本発明の一実施形態による、履物類の外底要素用の別の牽引要素の平面および側面図である。図１７Ｇ−１７Ｈは、本発明の一実施形態による、履物類の外底要素用の別の牽引要素の平面および側面図である。図１７Ｉ−１７Ｊは、本発明の一実施形態による、履物類の外底要素用の別の牽引要素の平面および側面図である。図１７Ｋ−１７Ｌは、本発明の一実施形態による、履物類の外底要素用の別の牽引要素の平面および側面図である。図１７Ｍ−１７Ｎは、本発明の一実施形態による、履物類の外底要素用の別の牽引要素の平面および側面図である。図１７Ｏ−１７Ｐは、本発明の一実施形態による、履物類の外底要素用の別の牽引要素の平面および側面図である。
【００５９】
【図１８】図１８は、本発明の一実施形態による、その上に複数の牽引要素を有する履物類用の外底要素の斜視図である。
【００６０】
【図１９】図１９Ａは、本発明の一実施形態による、走行運動の踵衝打型地面接触段階を受ける、競技者の足の圧力ベクトルの中心の概略図である。図１９Ｂは、圧力ベクトルの中心に沿った種々の場所における圧力を表す例示的データを伴う、図１６Ａの圧力ベクトルの中心の概略平面図である。
【００６１】
【図２０】図２０Ａは、本発明の一実施形態による、走行運動の中足衝打型地面接触段階を受ける、競技者の足の圧力ベクトルの中心の概略図である。図２０Ｂは、圧力ベクトルの中心に沿った種々の場所における圧力を表す例示的データを伴う、図１８Ａの圧力ベクトルの中心の概略平面図である。
【００６２】
【図２１】図２１Ａは、本発明の一実施形態による、走行運動の前足衝打型地面接触段階を受ける、競技者の足の圧力ベクトルの中心の概略図である。図２１Ｂは、圧力ベクトルの中心に沿った種々の場所における圧力を表す例示的データを伴う、図１９Ａの圧力ベクトルの中心の概略平面図である。
【００６３】
【図２２】図２２Ａは、本発明の一実施形態による、図１７Ａの足のグリッド区分の分布の概略平面図である。図２２Ｂは、本発明の一実施形態による、図１７Ａの足のグリッド区分の別の分布の概略平面図である。
【００６４】
【図２３】図２３Ａは、本発明の一実施形態による、円パッキング分析技法を使用して、性能測定基準情報に基づく履物類の構造特性を作成する方法の概略図である。図２３Ｂは、本発明の一実施形態による、ドロネー三角分割分析技法を使用して、性能測定基準情報に基づく履物類の構造特性を作成する方法の概略図である。図２３Ｃは、本発明の一実施形態による、ボロノイ図分析技法を使用して、性能測定基準情報に基づく履物類の構造特性を作成する方法の概略図である。
【００６５】
【図２４】図２４Ａ−２４Ｃは、本発明の一実施形態による、単一競技者測定性能データに基づくが、異なる選択基準のセットを用いた、履物類用の外底板の平面図である。
【００６６】
【図２５Ａ】図２５Ａ−２５Ｅは、本発明の一実施形態による、単一競技者測定性能データに基づくが、異なる選択基準のセットを用いた、履物類用の他の外底板の平面図である。
【図２５Ｂ】図２５Ａ−２５Ｅは、本発明の一実施形態による、単一競技者測定性能データに基づくが、異なる選択基準のセットを用いた、履物類用の他の外底板の平面図である。
【図２５Ｃ】図２５Ａ−２５Ｅは、本発明の一実施形態による、単一競技者測定性能データに基づくが、異なる選択基準のセットを用いた、履物類用の他の外底板の平面図である。
【図２５Ｄ】図２５Ａ−２５Ｅは、本発明の一実施形態による、単一競技者測定性能データに基づくが、異なる選択基準のセットを用いた、履物類用の他の外底板の平面図である。
【図２５Ｅ】図２５Ａ−２５Ｅは、本発明の一実施形態による、単一競技者測定性能データに基づくが、異なる選択基準のセットを用いた、履物類用の他の外底板の平面図である。
【００６７】
【図２６】図２６Ａおよび２６Ｂは、本発明の一実施形態による、同一の選択基準を使用して分析された、第１および第２の競技者測定性能データに基づく履物類用の外底板の平面図である。
【００６８】
【図２７】図２７は、本発明の一実施形態による、挿入可能スパイク用の基礎要素を含む、競技者の靴用の外底板の側面図である。
【００６９】
【図２８】図２８Ａおよび２８Ｂは、本発明の一実施形態による、トラックのコーナ部分を走っている間に測定された性能データに基づく、競技者の左右の靴用の外底板の平面図である。
【００７０】
【図２９】図２９Ａおよび２９Ｂは、本発明の一実施形態による、トラックのコーナ部分を走っている間に測定された性能データに基づく、別の競技者の左右の靴用の外底板の平面図である。
【００７１】
【図３０】図３０Ａおよび３０Ｂは、本発明の一実施形態による、トラックの直線部分に沿って走っている間に測定された性能データに基づく、図２９Ａおよび２９Ｂの競技者の左右の靴用の外底板の平面図である。
【００７２】
【図３１】図３１Ａおよび３１Ｂは、図３０Ａおよび３０Ｂの外底板の斜視図である。
【００７３】
【図３２Ａ】図３２Ａは、本発明の一実施形態による、履物類用の中底の側面図である。
【００７４】
【図３２Ｂ】図３２Ｂは、図３２Ａの中底の平面図である。
【００７５】
【図３２Ｃ】図３２Ｃは、図３２Ａの中底の斜視図である。
【００７６】
【図３２Ｄ】図３２Ｄは、図３２Ａの中底を設計するために使用される数学的メッシュの斜視図である。
【００７７】
【図３３】図３３は、本発明の一実施形態による、中底メッシュを計算するためのスカラー六面体圧力マッピング分布の概略斜視図である。
【００７８】
【図３４Ａ】図３４Ａは、本発明の一実施形態による、履物類用の別の中底の外側面図である。
【００７９】
【図３４Ｂ】図３４Ｂは、図３４Ａの中底の内側面図である。
【００８０】
【図３４Ｃ】図３４Ｃは、図３４Ａの中底の上面図である。
【００８１】
【図３４Ｄ】図３４Ｄは、図３４Ａの中底の底面図である。
【００８２】
【図３４Ｅ】図３４Ｅは、図３４Ａの中底の斜視図である。
【００８３】
【図３４Ｆ】図３４Ｆは、図３４Ａの中底の別の斜視図である。
【００８４】
【図３５】図３５は、本発明の一実施形態による、履物類用の別の中底の斜視底面図である。
【００８５】
【図３６Ａ】図３６Ａは、本発明の一実施形態による、履物類の外側面図である。
【００８６】
【図３６Ｂ】図３６Ｂは、図３６Ａの履物類の内側面図である。
【００８７】
【図３６Ｃ】図３６Ｃは、図３６Ａの履物類の上面図である。
【００８８】
【図３６Ｄ】図３６Ｄは、図３６Ａの履物類の底面図である。
【００８９】
【図３６Ｅ】図３６Ｅは、図３６Ａの履物類の斜視図である。
【００９０】
【図３７Ａ】図３７Ａは、本発明の一実施形態による、六角形のセルを有する履物類用の中底の底面図である。
【００９１】
【図３７Ｂ】図３７Ｂは、図３７Ａの中底の側面図である。
【００９２】
【図３７Ｃ】図３７Ｃは、図３７Ａの中底の斜視図である。
【００９３】
【図３７Ｄ】図３７Ｄは、底面にくぼみを伴う図３７Ａの中底の斜視図である。
【００９４】
【図３８Ａ】図３８Ａは、本発明の一実施形態による、履物類用の別の中底の底面図である。
【００９５】
【図３８Ｂ】図３８Ｂは、図３８Ａの中底の斜視図である。
【００９６】
【図３９Ａ】図３９Ａは、本発明の一実施形態による、履物類用の別の中底の底面図である。
【００９７】
【図３９Ｂ】図３９Ｂは、図３９Ａの中底の側面図である。
【００９８】
【図４０Ａ】図４０Ａは、本発明の一実施形態による、円形のセルを有する履物類用の中底の底面図である。
【００９９】
【図４０Ｂ】図４０Ｂは、図４０Ａの中底の側面図である。
【０１００】
【図４１Ａ】図４１Ａは、本発明の一実施形態による、円形のセルを有する履物類用の別の中底の底面図である。
【０１０１】
【図４１Ｂ】図４１Ｂは、図４１Ａの中底の側面図である。
【０１０２】
【図４２】図４２は、本発明の一実施形態による、円形のセルおよび上板を有する履物類用の中底の斜視図である。
【０１０３】
【図４３Ａ】図４３Ａは、本発明の一実施形態による、履物類用の別の中底の底面図である。
【０１０４】
【図４３Ｂ】図４３Ｂは、図４３Ａの中底の側面図である。
【０１０５】
【図４４】図４４は、本発明の一実施形態による、履物類用の別の中底の斜視図である。
【０１０６】
【図４５】図４５は、本発明の一実施形態による、足の形状に従う履物類用の中底の上面図である。
【０１０７】
【図４６】図４６は、本発明の一実施形態による、三角形のセルを有する履物類用の中底の斜視図である。
【０１０８】
【図４７Ａ】図４７Ａは、本発明の一実施形態による、三角形のセルを有する履物類用の別の中底の斜視図である。
【０１０９】
【図４７Ｂ】図４７Ｂは、図４７Ａの中底の底面図である。
【０１１０】
【図４８】図４８は、本発明の一実施形態による、三角形のセルを有する履物類用の別の中底の斜視図である。
【０１１１】
【図４９】図４９は、本発明の一実施形態による、三角形のセルを有する履物類用の別の中底の斜視図である。
【０１１２】
【図５０】図５０は、本発明の一実施形態による、三角形のセルを有する履物類用の別の中底の斜視図である。
【０１１３】
【図５１Ａ】図５１Ａは、本発明の一実施形態による、回転楕円体ベースのセルを有する履物類用の中底の底面図である。
【０１１４】
【図５１Ｂ】図５１Ｂは、図５１Ａの中底の側面図である。
【０１１５】
【図５１Ｃ】図５１Ｃは、図５１Ａの中底の斜視図である。
【０１１６】
【図５１Ｄ】図５１Ｄは、図５１Ａの中底の上面図である。
【０１１７】
【図５２】図５２は、本発明の一実施形態による、回転楕円体ベースのセルを有する履物類用の別の中底の斜視図である。
【０１１８】
【図５３】図５３は、本発明の一実施形態による、歪曲マトリクス構造の斜視図である。
【０１１９】
【図５４Ａ】図５４Ａは、本発明の一実施形態による、足走査データを使用して形成された足形状の側面図である。
【０１２０】
【図５４Ｂ】図５４Ｂは、図５４Ａの足形状の斜視図である。
【０１２１】
【図５５Ａ】図５５Ａは、本発明の一実施形態による、足走査データを使用して形成された別の足形状の側面図である。
【０１２２】
【図５５Ｂ】図５５Ｂは、図５５Ａの足形状の斜視図である。
【０１２３】
【図５６Ａ】図５６Ａは、本発明の一実施形態による、足走査データを使用して形成された別の足形状の上面図である。
【０１２４】
【図５６Ｂ】図５６Ｂは、図５６Ａの足形状の側面図である。
【０１２５】
【図５７】図５７は、本発明の一実施形態による、履物類用の中底用の連結システムの斜視図である。
【０１２６】
【図５８Ａ】図５８Ａは、本発明の一実施形態による、図５７の連結システムを組み込む、履物類用の中底の斜視図である。
【０１２７】
【図５８Ｂ】図５８Ｂは、図５８Ａの中底の底面図である。
【０１２８】
【図５８Ｃ】図５８Ｃは、連結部がわずかに拡張された、図５８Ａの中底の別の底面図である。
【０１２９】
【図５８Ｄ】図５８Ｄは、図５８Ｃの中底の側面図である。
【０１３０】
【図５８Ｅ】図５８Ｅは、ある連結部の角度が修正された、図５８Ｃの中底の側面図である。
【０１３１】
【図５９】図５９Ａ−５９Ｄは、本発明の一実施形態による、滑り止め付き牽引要素を有する種々の外底板の斜視図である。図５９Ｅは、本発明の一実施形態による、滑り止め付き牽引要素を有する別の外底板の底面図である。
【０１３２】
【図６０】図６０Ａは、本発明の一実施形態による、滑り止め付き牽引要素および撓曲溝を有する、外底板の底面図である。図６０Ｂ−６０Ｅは、本発明の一実施形態による、滑り止め付き牽引要素および撓曲溝を有する、種々の外底板の斜視図である。
【０１３３】
【図６１】図６１Ａは、本発明の一実施形態による、その上に重ね合わせられたマッピング構造を有する、外底板の概略平面図である。図６１Ｂは、図６１Ａのマッピング構造に対応する位置に滑り止めを有する、滑り止め付き外底板である。
【０１３４】
【図６２】図６２Ａ−６２Ｄは、本発明の一実施形態による、競技者データを処理するための種々の処理アルゴリズムに基づいて位置付けられ、配向された滑り止め付き牽引要素を有する、外底板の概略平面図である。
【０１３５】
【図６３】図６３Ａ−６３Ｇは、本発明の一実施形態による、滑り止め付き牽引要素を有する、カスタマイズされた外底板を生成するように競技者データを処理する際のいくつかのステップを示す。
【０１３６】
【図６４】図６４Ａは、本発明の一実施形態による、中空滑り止め付き牽引要素を有する、滑り止め付き靴底板の上面図である。図６４Ｂは、図６４Ａの滑り止め付き靴底板の底面図である。
【０１３７】
【図６５】図６５は、本発明の一実施形態による、地面接触要素が靴甲内に位置付けられ、それを通って延在する、靴甲を含む、履物類の斜視図である。
【０１３８】
【図６６】図６６Ａは、本発明の一実施形態による、滑り止め付き靴底板を有する履物類の上面図である。図６６Ｂは、図６６Ａの履物類の外側面図である。図６６Ｃは、図６６Ａの履物類の靴底板の底面図である。図６６Ｄは、図６６Ａの履物類の靴底板の外側面図である。
【０１３９】
【図６７】図６７Ａは、本発明の一実施形態による、滑り止め付き靴底板を有する履物類の上面図である。図６７Ｂは、図６７Ａの履物類の外側面図である。図６７Ｃは、図６７Ａの履物類の靴底板の底面図である。図６７Ｄは、図６７Ａの履物類の靴底板の外側面図である。図６７Ｅは、図６７Ａの履物類の靴底板の内側面図である。
【発明を実施するための形態】
【０１４０】
本明細書に説明される本発明は、概して、履物類、衣服、および／またはスポーツ用品（および、例えば、カスタマイズされた履物類）、またはそれらの１つまたはそれを上回る要素を設計して製造するための方法およびシステム、およびそのような方法およびシステムを使用して製造される、カスタマイズされた、またはカスタマイズされていない履物、衣服、および／またはスポーツ用品に関する。より具体的には、一実施形態では、本発明は、競技者の１つまたはそれを上回る必要性を満たし、競技活動中の競技者の性能を向上させる、および／または着用されたときに履物類の快適性を向上させるように具体的にカスタマイズされる、履物または履物要素に関する。
【０１４１】
履物のカスタマイズは、限定されないが、（自分の履物から向上した性能を期待している）競技者、（より良好なサポートおよび／または自分の具体的症状の治療を提供する履物を期待している）病状がある人々、または向上およびカスタマイズされた性能利益および／またはカスタマイズされた審美的外見（例えば、装飾要素、商標、名称等を含む）を両方とも有する履物を期待している、カジュアルランナーまたはウォーカー等の個人の多数のグループのために有益であり得る。本明細書の説明は、概して、競技者の向上した性能特性を提供するように履物をカスタマイズすることに関するが、本明細書に説明される方法、アルゴリズム、プロセス、および構造は、任意の目的のため、および任意のユーザのための要素のカスタマイズに等しく適用可能であることに留意されたい。
【０１４２】
履物またはその要素のカスタマイズは、限定されないが、着用者により良好に適合するカスタマイズされたサイズおよび形状、競技者の運動の１つまたはそれを上回る具体的特性に対処するカスタマイズされた緩衝材、１つまたは複数の具体的競技活動中に向上したグリップを提供する履物の外底（または地面接触中底）上のカスタマイズされた牽引要素、カスタマイズされた材料（例えば、使用される具体的材料、材料重量、材料性質等）等の要因を含んでもよい。カスタマイズはまた、競技者の個々の好ましい審美的および／または性能必要性を満たすように、履物および履物要素を具体的に作成することを含んでもよい。
【０１４３】
本明細書に説明される本発明は、履物類（例えば、靴、ビーチサンダル、サンダル、靴下、圧縮サポート要素等の運動用サポータ）全体のカスタマイズおよび／または完成した物品に組み込むための履物類の要素のカスタマイズを可能にする。例示的履物要素は、靴用の外底、中底、および／または内底、および／またはその具体的領域において（例えば、踵、中足、および／または前足領域中で）（例えば、機械的取付、結合、または他の適切な取付手段を通して）靴の靴底に挿入する、または取り付けるための要素等の外底、中底、および／または内底内に配置するためのカスタマイズされた要素を含むが、それらに限定されない。
【０１４４】
履物または履物要素のカスタマイズは、個人または個人のグループと関連付けられる、いくつかの身体的、性能（例えば、運動性能）、および／またはユーザ選好特性に基づくことができる。例えば、靴のサイズ等の標準パラメータに加えて、例えば、骨構造、足の上の胼胝分布、損傷（過去および／または将来に起こり得るものの両方）、足首の形状、可動域、強度、つま先の形状を含む、個人の足の形状等の身体的特性、および靴下類（例えば、靴下、タイツ、またはレギンス）または靴下類なしの選好、および／または履物とともに着用されるストラップ（例えば、足首および／または足サポートストラップまたはテーピング）が全て、所与の着用者または着用者のサブセットのために具体的にはカスタマイズされた靴の設計および製造において考慮されることができる。他のパラメータは、通気性特性、発汗特性、循環考慮事項、および／または糖尿病因子（限定されないが、靴内の摩擦の最小限化等）を含んでもよい、または本質的にそれから成ってもよい。
【０１４５】
足と直接関連付けられない個人の付加的特徴はまた、個人の運動性能にも影響を及ぼし得、カスタマイズされた履物は、潜在的に個人の力学の制限または弱点に対処し、および／または個人の力学の強度を支持する。履物または衣服のカスタマイズに影響を及ぼし得る、そのような特徴は、個人の身長、体重、年齢、性別、骨構造、脚の骨の長さ（例えば、ふくらはぎの長さ／または腿の長さ）、体力の一般的レベル、病歴、および／または医学的要件を含むが、それらに限定されない。カスタマイズされた履物構成要素の使用を通して対処され得る、医学的要件は、限定されないが、扁平足、扁平化した土踏まず、槌状足指、痛風、浮腫（腫脹）、脚長差、切断、母趾変形または他の足の変形、モートン神経腫、脚または膝の整合に関する問題、および／または足底筋膜炎等の足の筋肉、腱、骨、および／または皮膚に関する問題等の症状のための構造支持、または糖尿病用のクッション付きで実質的に無摩擦の支持等の要素を含んでもよい。
【０１４６】
限定されないが、足衝打場所（例えば、歩行周期または他の競技運動中の足の初期地面接触中の踵衝打、中足衝打、または前足衝打）、歩幅、歩行速度（すなわち、歩調）、足衝打に応じた足の回内または回外、地面衝打およびつま先が離れる間の足の枢動、走り方、走行速度、循環、通気性、および／または１つまたはそれを上回る関節の可撓性等の具体的競技者または競技者のサブセットの性能側面は、履物のカスタマイズを通して対処されてもよく、具体的性能特性は、競技活動中の競技者の性能を向上させ、および／または競技活動中に着用される履物の快適性を向上させるように、必要に応じて支持または補償される。
【０１４７】
加えて、具体的競技活動の性能要件は、具体的競技者または競技者のサブセットのために履物をカスタマイズするときに考慮されることができる。例えば、ランナ（トラックランナ、ロードランナ、またはクロスカントリーランナ等）の牽引要件は、ランナが短距離走者または長距離走者であるかどうか、および／またはランナが（例えば、標準屋内または屋外競技トラック上で）コーナを走ることを考慮するために履物の靴底上に牽引要素を要求するかどうか、またはランニングが（例えば、ロードレーシングまたはジョギング中に）主に直線で実施されるものであるかどうかに応じて、異なり得る。履物のカスタマイズはまた、例えば、異なる牽引要件が湿潤／乾燥状態のために必要とされる、競技者が運動している気象および足元条件、および／または柔らかい／堅い足元条件にも依存し得る。加えて、異なるスポーツが、牽引要素（例えば、スパイク、滑り止めまたはスタッド、握持要素、および／またはトレッドパターン）の異なる形状、サイズ、および／または構成を要求し得、例えば、サッカー、アメリカンフットボール、フィールドホッケー、野球等のための滑り止めは全て、異なる滑り止めタイプおよび構成を要求し、これらのスポーツのそれぞれの中の異なるポジションが、潜在的に牽引要素から異なる性能特徴を要求する。
【０１４８】
履物がカスタマイズされ得る、他の競技活動は、個人の技法および身体的特性が、個人毎に大いに変動し得る、かつ具体的にはカスタマイズされた牽引要素、支持要素、および／または構造支持ゾーンが、競技運動の個人の性能を大いに向上させることができる、有意な疾走型運動を伴う活動（例えば、バスケットボール、野球、ソフトボール、サッカー、アメリカンフットボール、フィールドホッケー、アイスホッケー、アイススケート、スピードスケート、ラグビー、テニス、スカッシュ、ラケットボール、スケートボード、サイクリング等）を含む。跳躍する、しゃがむ、蹴る、投げる、向きを変える、回転する等の他の活動もまた、具体的競技者および／または活動の性能特性のユニークな組み合わせを増進または支援する、牽引要素を作成する際に考慮されることもできる。
【０１４９】
競技者用の履物のカスタマイズは、本発明の種々の実施形態によると、競技者の具体的性能および身体的特性に対処するように具体的に位置して構築される物理的要素を含む設計を生成するために、競技者（または競技者のグループ）に特有の入力パラメータを処理する分析ツールを利用することによって、行われることができる。設計は、次いで、競技者に特有である履物類および／または履物要素を生産するように製造されることができる。
【０１５０】
競技者のためにカスタマイズされた履物類の靴底の少なくとも一部を設計するための例示的方法が、図１に示されている。本方法は、競技者に関連する１つまたはそれを上回る入力パラメータを取得／判定するステップ１０５と、ユーザの足の少なくとも１つの性能測定基準を判定するように入力パラメータを分析するステップ１１０とを含む。少なくとも１つの性能測定基準は、次いで、性能測定基準に基づいて、競技者用の履物類の靴底の少なくとも一部の１つまたはそれを上回る構造特性を判定する１１５ために使用され、その後、カスタマイズされた靴底部分が、例えば、限定されないが、高速製造方法（例えば、選択的レーザ焼結）等の付加／高速製造技法の使用を通して、製造されることができる１２０。
【０１５１】
種々の実施形態では、入力パラメータは、実験性能データ、測定されたバイオメトリック情報、および／または選択されたユーザ選好および／または性能情報を含むことができる。入力パラメータは、ユーザの足の少なくとも一部の１つまたはそれを上回る特性に直接関連し、および／または競技者の脚および／または上半身（身長、体重、脚の長さ、運動能力、損傷等）および／または靴がカスタマイズされている競技活動の性能要件と関連付けられる特性を含んでもよい。
【０１５２】
本発明の一実施形態では、カスタマイズされた靴構成要素を設計するために使用される入力パラメータは、歩行周期または他の競技運動の地面接触段階の少なくとも一部の間の足の性能特性を表す実験データを含む。実験データを取得するための例示的システムが、図２に示されている。本実施形態では、競技者１２５は、競技活動中の競技者１２５の足の種々の性能特性を表すデータを捕捉して記録するように設計されるデータ収集機器を含む環境で、靴がカスタマイズされるものである、競技活動（例えば、トラックランニング）を行う。図２の実施例では、データ収集機器は、競技者１２５の足１３５と地面１４５との間の力を捕捉するための力板１３０と、足１３５と地面１４５との間に位置する圧力センサ１４０のアレイとを含む。圧力センサ１４０は、競技者１２５の靴１５０内に配置された内底の中に位置してもよい。代替実施形態では、圧力センサ１４０は、靴１５０の中底１５５内に埋め込まれる、または靴１５０の地面接触外底１５７内に位置する、またはそれに取り付けられることができる。代替として、または加えて、圧力センサまたは本明細書に説明される方法で利用される任意の他のセンサは、競技者の足、脚、および／または上半身の上の任意の適切な場所に位置することができる。競技者１２５用の例示的靴１５０が、データ捕捉システム用の配向軸を提供する例示的座標系１６０とともに、図３に示されている。靴は、靴甲１５８および靴底１５２によって画定される足受容空洞１５９とともに、靴甲１５８と、靴底１５２（内底と、外底１５７と、中底１５５とを含む）とを含む。靴１５０は、スリッポン型の靴であってもよい、または限定されないが、紐、面ファスナ締結、ジッパ、コード、弾性要素、ボタン、および／またはバックル等の緊締／締結手段を有してもよい。
【０１５３】
一実施形態では、圧力センサ１４０は、競技活動中に競技者１２５によって着用される携帯用データ捕捉システムの一部を形成し、圧力センサ１４０は、靴１５０内に位置し、センサに給電し、センサから取得されるデータを記録し、および／または分析のためにデータをデータ処理システムに無線で伝送することができる、データ捕捉システムに結合される。代替実施形態では、圧力データ捕捉システムは、単に、競技活動中に圧力データを記録し、次いで、後に、無線または有線接続のいずれかを通して、データをデータ処理システムに転送することができる。さらなる代替実施形態では、データ処理システムは、携帯用データ捕捉システム内に位置してもよい。
【０１５４】
一実施形態では、圧力センサ１４０は、足１３５の底と地面１４０との間に（例えば、競技者１２５の靴１５０内に配置された内底１８７内に）配置するためのアレイに配列される、別個のセンサ要素１８０の分布を含む。例示的センサアレイが、図５Ａおよび５Ｂで見られることができ、図５Ａは、規則的分布で配列された２１９個のセンサ要素１８０を有する、アレイを示し、図５Ｂは、規則的分布で配列された５９個のセンサ要素１８０を有する、アレイを示す。代替実施形態では、センサアレイの任意のサイズが利用されてもよく（例えば、１０、２０、５０、９９、１００、２００、５００個等のセンサ要素１８０）、センサ要素１８０は、（例えば、より多くのセンサ要素１８０を含有する、高重要性／衝撃領域を伴って）規則的に、または不規則的パターンで配列される。上記で議論されるように、各センサ要素１８０は、システムに給電し、各圧力要素１８０からデータを記録し、および／または分析のためにデータを伝送するための要素を含む、携帯用データ捕捉部の一部を形成することができる。
【０１５５】
一実施形態では、力板１３０が、地面１４０内に埋め込まれ、それに固定され、またはその上に配置され、競技者は、データ捕捉中に力板１４０の上を走る。代替実施形態では、力センサが、靴１５０の靴底の上または中に位置付けられてもよく、携帯用データ捕捉システムの一部を形成してもよい。
【０１５６】
一実施形態では、靴１５０の外底１５５、地面１４５、足自体の底、または足の任意の他の適切な要素のいずれかと関連付けられる単一の座標系が、データを捕捉して処理するために利用されることができる。単一の座標系１６０を伴う例示的実施形態が、図４Ａに示されている。代替実施形態では、足１３５および靴１５０の種々の要素に関する複数の座標系が、利用されることができる。例えば、図４Ｂは、靴１５０の前足１６５と関連付けられる第１の座標系１６０と、靴１５０の踵部分１７５と関連付けられる第２の座標系１７０とを有する、システムを示す。複数の座標系を利用することは、収集されたデータが、歩行周期の地面接触段階中の足の撓曲にかかわらず、足１３５に沿った多数の場所で、足１３５の底または足の任意の他の適切な要素に対して処理および配向されることを可能にする。これは、ある実施形態では、特定のカスタマイズ目標のために要求される性能測定基準に対して、データのより正確な処理および分析を可能にし得るが、ある実施形態では、図４Ａに示されるような単軸システムが、正確な分析結果を提供するために十分であり得る。
【０１５７】
図２のシステムは、歩行周期の地面接触段階の全体を通した足１３５の底にわたる圧力分布および歩行周期の地面接触段階の少なくとも一部の間の足底の少なくとも一部と地面との間の力の相互作用の両方の同時測定を可能にする。一実施形態では、圧力センサ１４０が、地面１４５と足１３５との間の法線方向圧力のみを測定する一方で、力板１３０は、座標系１６０の３つ全ての方向で足１３５と地面１４０との間の力を測定し、それによって、地面接触段階の全体を通して、足１３５と地面１４０との間の力の規模および垂直および水平方向の両方の計算を可能にする。足１３５の底にわたる法線方向圧力分布および力ベクトルデータの両方を測定することは、足１３５と地面１４０との間に印加されている力の規模および地面接触段階の全体を通した足１３５の上の複数の場所におけるその相互作用の方向の両方を識別する、性能測定基準の計算を可能にする。
【０１５８】
代替実施形態では、圧力センサ１４０は、足１３５と関連付けられる座標系の３つ全ての方向（すなわち、法線、後、および横）で圧力を測定してもよく、それによって、別個の３次元力測定を必要とすることなく、方向データが取得されることを可能にする。さらに代替実施形態では、足１３５の底にわたる法線方向圧力分布データは、地面接触段階の全体を通して足１３５と地面１４０との間の力の方向を表す方向ベクトルデータを生成するように、時間に対して積分されてもよく、再度、別個の力板を必要とすることなく、方向データが取得されることを可能にする。
【０１５９】
４人の異なる競技者の例示的圧力データが、図６Ａ−９Ｃで見られることができる。より具体的には、図６Ａ、７Ａ、８Ａ、および９Ａは、足衝打中の地面とのほぼ初期接触点における４人の競技者の圧力分布データを示し、図６Ａは、直線走行中の第１の競技者による踵の領域内の地面の初期衝打（踵衝打）の圧力分布を示し、図７Ａおよび８Ａは、直線走行中の第２および第３の競技者の中足の領域内の地面の初期衝打（中足衝打）の圧力分布を示し、図９Ａは、直線走行中の第４の競技者の前足の領域内の地面の初期衝打（前足衝打）の圧力分布を示す。同様に、図６Ｂ、７Ｂ、８Ｂ、および９Ｂは、直線走行中の足衝打事象の終了時に足が地面から離れる直前の（すなわち、つま先が離れる前の）４人の競技者の足底上の圧力分布を示す。図６Ｃ、７Ｃ、８Ｃ、および９Ｃは、競技者が標準４００ｍ競技トラック上でコーナを走っている間に、つま先が離れる前の４人の競技者の左右の足の両方の上の圧力分布を示す。図６Ａ−９Ｃの圧力分布マップは、各競技者の靴の内底１９０内に埋め込まれた９９センサアレイから読み出される実験圧力データに基づく、キロパスカル（ｋＰａ）単位の圧力の等高線図を示し、各陰影付き等高線図の中心１９５は、内底１９０の表面に対して法線方向の最高圧力の場所を表し、陰影が付いていない部分１９７は、（例えば、足のその部分が、その時間に地面と接触していなかったため）実質的な法線方向圧力が測定されなかった面積を表す。
【０１６０】
分かり得るように、地面接触の初期足衝打段階中の圧力分布が、競技者によって著しく変動し、踵衝打競技者の圧力の中心が、踵領域２００内に位置する一方で、中足衝打競技者の圧力の中心は、中足領域２０５を通して分散され、前足衝打競技者の圧力の中心は、前足領域２１０内に位置する。加えて、初期地面接触時の負荷が、踵およびつま先を衝打する人よりも中足を衝打する人について広い面積にわたって分散されるため、中足衝打競技者における圧力の中心に位置する最大圧力読取値は、踵を衝打する人および前足を衝打する人について測定される値よりも有意に低い最大値を有する。
【０１６１】
つま先が離れる段階中の圧力分布は、より類似しているが、再度、競技者の間の圧力分布の差が、観察されることができ、圧力の中心および圧力の分布は、競技者によって著しく異なる。例えば、図７Ｂの競技者は、他の競技者では観察されない、第４趾領域２１５の近傍の圧力急上昇を示し、各競技者は、それらの中足骨頭領域２２０（すなわち、足指骨に隣接する中足骨頭）の周囲に異なる圧力分布を示す。中足領域における結果の変動は、例えば、走り方の変動に起因し、また、各競技者における中足骨頭の形状および構成の差にも起因する。結果として、異なる競技者の足と地面との間の相互作用が、例えば、各競技者の走行技法および各競技者の足の身体的特性に応じて、著しく変動し得ることが明確に分かる。所与の競技者の地面相互作用のユニークな特徴の本識別は、着用者の靴が、それらの独自の個々の入力パラメータに基づいて、各競技者の性能を増進するように最適に設計されていることを確実にするために、適切なアルゴリズムによって測定および分析されることができる。
【０１６２】
圧力分布の間のさらなる変動は、競技者が標準４００ｍ競技トラック上で（標準反時計回り方向に）コーナを走っている間に、つま先が離れる前の４人の競技者の左右の足の両方の上の圧力分布を示す、図６Ｃ、７Ｃ、８Ｃ、および９Ｃで見られることができる。分かり得るように、各競技者の左右の足の上の圧力分布は、完全には対称ではなく、地面と各足上の靴との間の異なる地面相互作用は、競技者のコーナリング動作により影響を受ける。加えて、圧力分布は、完全には対称ではないが、各足の力測定は、有意に異なり、力が、曲線トラックの外縁に向かって配向される（すなわち、内側の足では、力が足の甲に向かって配向される一方で、外側の足では、力が足の外側に向かって配向される）。圧力および力分布の本区別を考慮するように左右の足の間でカスタマイズを可能にすることは、高速でコーナリングを要求する種目で走るときに、競技者のために有益であり得る。種々の実施形態では、本明細書に説明される方法およびシステムは、限定されないが、標準２００ｍトラックまたは４００ｍトラック、および／またはコーナに任意の横傾斜角を有する、または直線に沿ったトラック等の任意のタイプのランニングトラック用のカスタマイズされた履物を提供するように、利用されることができる。
【０１６３】
初期地面接触点における４人の異なる競技者の９９圧力センサ要素内底のｋＰａ単位の圧力データを示す、例示的未加工圧力測定データが、図１０Ａ−１０Ｄで見られることができ、図１０Ａは、踵衝打競技者データを示し、図１０Ｂおよび１０Ｃは、２つの中足衝打競技者データセットを示し、図１０Ｄは、前足衝打競技者データを示す。また、各データセットについて、足衝打事象の全経過にわたる各競技者の圧力ベクトル１８９の中心が示されている。
【０１６４】
足衝打事象の全長にわたる力板１３０から得られた例示的力データが、図１１Ａおよび１１Ｂで見られることができ、図１１Ａは、踵衝打競技者の力データを示し、図１１Ｂは、中足衝打競技者の力データを示す。グラフでは、垂直軸が、（ニュートン（Ｎ）単位の）所与の軸における測定された力を表す一方で、水平軸は、（「０．０」が、初期地面接触を表し、「１００．０」が、つま先が離れることを表すように正規化された）時間を表す。図毎に、「力（Ｎ）」と標識された垂直軸を伴う上のグラフは、地面と垂直に（すなわち、座標系１６０で軸「Ｚ」に沿って）地面１４５によって足１３５に印加された力の垂直成分を表し、「力（Ｎ−後）」と標識された垂直軸を伴う中央のグラフは、進行方向と平行に（すなわち、座標系１６０で軸「Ｘ」に沿って）地面１４５によって足１３５に印加された力の水平成分を表し、「力（Ｎ−横）」と標識された垂直軸を伴う下のグラフは、進行方向と垂直に（すなわち、座標系１６０で軸「Ｙ」）地面１４５によって足１３５に印加された力の水平成分を表す。分かり得るように、足１３５と地面１４５との間の力は、各競技者の足衝打事象の長さにわたって劇的に変化し、また、踵衝打型走行運動および中足型走行運動について、著しく異なる。
【０１６５】
一実施形態では、複数の圧力センサが、足の一部に埋め込まれる、または取り付けられるのではなく、地面上に位置付けられてもよく、センサは、地面上に位置するセンサアレイと接触するにつれて、足によって印加される圧力を測定する。
【０１６６】
種々の実施形態では、実験データは、図２のシステムによって捕捉される圧力および／または力データに加えて、またはその代わりに、他の測定を含んでもよい。
そのような測定システムは、限定されないが、位置、速度、加速度、回転速度、回転加速度、足の少なくとも一部の形状の変化、摩擦、質量分布、エネルギー分布、応力、歪み、温度、歪曲、湿度レベル、および／または事象が起こる時間等の要素を測定するためのセンサを含んでもよい。そのようなセンサは、足１３５と地面１４０との間の相互作用と関連付けられる力／圧力ベクトルを測定することに加えて、またはその代わりに、地面接触時間、初期足衝打場所、つま先が離れる位置、回内／回外特性、および／または歩行周期または他の競技運動の地面接触段階の少なくとも一部の間のユーザの足の少なくとも一部の形状および／または位置の変化等の事象を測定するために使用されることができる。競技活動中の競技者の性能と関連付けられるパラメータ（限定されないが、足衝打場所等）を識別するように適合される例示的携帯用システムは、その開示が参照することによってその全体として本明細書に組み込まれる、米国特許出願公開第２０１３−００４１６１７Ａ１号で説明されている。
【０１６７】
本明細書に説明される方法およびシステムとともに使用するための種々のセンサは、加速度計、圧力センサ、力センサ、光学応力／歪みセンサ、温度センサ、化学センサ、全地球測位システム、圧電センサ、回転位置センサ、磁力計、ジャイロセンサ、心拍数センサ、および／またはゴニオメータを含んでもよい、または本質的にそれらから成ってもよい。限定されないが、心電計センサ、電子皮膚グラフセンサ、脳波計センサ、筋電図検査センサ、フィードバック温度計センサ、光電脈波センサ、および／または呼吸記録器センサ等の他のセンサもまた、本発明の種々の実施形態で利用されてもよい。体内の湿度に関するパラメータは、例えば、皮膚伝導因子を測定するための任意の適切なセンサ（例えば、電気皮膚反応（ＧＳＲ）、皮膚電気反応（ＥＤＲ）、精神電流反射（ＰＧＲ）、皮膚伝導反応（ＳＣＲ）、または皮膚伝導レベル（ＳＣＬ）センサ）を使用して、測定されてもよい。
【０１６８】
例えば、本発明の一実施形態は、靴の靴底上に１つまたはそれを上回る剪断応力センサを含んでもよく、分散剪断応力測定が、足１３５と地面１４０との間の相互作用の方向を表す方向データを提供する。靴の靴底上の応力および／または歪み測定はまた、足衝打事象中の靴および足の撓曲を判定するために使用されることもできる。本データは、圧力および／または力データに加えて、またはその代わりに、足衝打事象中の足１３５と地面１４０との間の相互作用の規模および方向を判定するために使用されてもよい。
【０１６９】
上記の測定オプションのリストは、限定的ではなく、本発明の種々の実施形態では、任意の適切なセンサまたはセンサの組み合わせが、競技活動を実施する際の競技者１２５の性能を表すデータを捕捉するために利用されてもよく、本データは、カスタマイズされた履物要素の設計を可能にするように競技者の特定の性能特質を分析するための入力パラメータとして使用される。より具体的には、上記の測定オプションを通して識別されるデータセットおよび性能特性はそれぞれ、競技者の具体的運動技法および身体的特性に応じて劇的に変化し得、これらの要素のうちのいずれかの測定は、したがって、特定の競技者のための靴をカスタマイズするために使用されることができる、性能測定基準を識別する際に極めて有用であり得る。
【０１７０】
本明細書に説明される実験測定のうちのいずれかのために収集されるデータは、任意の適切なレートであるが、概して、競技者によって要求される正確度のレベルまでカスタマイズを可能にするために十分詳細に、歩行周期の地面接触部分の全体を通して測定の進行を捕捉するために十分なレートで、サンプリングされることができる。種々の実施例では、約１０Ｈｚ、２０Ｈｚ、５０Ｈｚ、１００Ｈｚ、または２００Ｈｚのサンプルレートが利用されてもよいが、異なるレートおよびより大きいまたは小さいレートが、適宜、使用されてもよい。一実施形態では、収集されたデータは、競技者の性能特性の平均表現を提供するように、任意の適切な数の足衝打事象にわたって平均化されてもよい。一実施形態では、未加工データは、非必須情報を除外し、適切なデータのみがカスタマイズアルゴリズムにおいて分析されることを確実にするように、任意の適切なフィルタリング技法（例えば、高域通過、低域通過、および／またはバターワースフィルタリング）を使用して、フィルタ処理されてもよい。例えば、一実施形態では、高域通過型フィルタリングは、設定された規模を下回るデータを除外し、より高規模のデータのみがカスタマイズ設計アルゴリズムにおいて処理されることを可能にするように、結果に適用されてもよい。加えて、種々の形態のデータ平滑化が、（例えば、牽引要素の配列が、隣接する牽引要素の間のサイズ、形状、配向等の差を制御するように構造化される必要がある場合に）結果のさらなるフィルタリングを提供するようにデータに適用されてもよい。
【０１７１】
一実施形態では、カスタマイズ設計プロセスのための入力パラメータは、本明細書に説明される実験データに加えて、またはその代わりに、競技者１２５の足１３５の１つまたはそれを上回る身体的特性を含んでもよい。そのような身体的特性は、形状、サイズ、着用パターン、損傷プロファイル、骨構造、靭帯構造、汗腺分布、湿度レベル、循環配列または測定基準、筋肉活動、摩擦測定基準、血圧、心拍数、体積変化、水和レベル、発汗レベル、靭帯構造、つま先の形状および／または分布（例えば、つま先の長さおよび相対位置、中足骨頭の相対場所等）、土踏まずの形状、および／または踵の形状（例えば、踵骨の形状）のうちの少なくとも１つ等の足および／または身体の生理学的構造特性を含んでもよいが、それらに限定されない。そのような身体的特性は、例えば、手動で測定されてもよい、自動２Ｄまたは３Ｄ走査デバイスを通して走査されて記録されてもよい、または足１３５の写真画像の３Ｄ処理を通して判定されてもよい。
【０１７２】
履物のカスタマイズで使用される性能測定基準を生成するように、入力パラメータ、より具体的には、法線方向圧力分布データおよび３成分力データ等の入力パラメータを分析するための例示的方法が、図１２Ａ−１６Ａで見られることができる。本実施形態では、圧力データおよび力データは、全足底面積にわたる地面１４５と足１３５との間の相互作用を表すベクトル（規模および方向の両方を有する）を作成するように、処理されてともに乗算されることができ、結果として生じるベクトルは、個々の競技者の要件に最も良好に対処する履物の構造特性の場所および分布を識別するために使用される。
【０１７３】
図１２Ａ−１２Ｃは、図５Ｂの内底１８７を使用して圧力センサ要素１８０によって測定される圧力データの概略図を示し、図１２Ａは、踵衝打競技者の初期地面接触時、またはその前後の圧力測定を示し、図１２Ｂは、地面接触段階のほぼ中間点におけるその競技者の圧力測定を示し、図１２Ｃは、つま先が離れる直前のその競技者の圧力測定を示す。内底１８７の表面に対して法線方向の圧力の規模は、各センサ要素１８０を覆って配置された陰影付きの円２２５のサイズによって表され、より大きい圧力が、より大きい円によって示され、より小さい圧力が、より小さい円によって表される。分かり得るように、測定は、全地面接触事象中の（初期踵衝打時に）内底の踵１９０の近傍から中足領域２０５を通して（つま先が離れるときに）前足領域２０７に向かった圧力の移動を示す。上記で議論されるように、圧力規模および分布の具体的変動は、競技者によって大いに変動し得る。足衝打事象内の３つの時間ステップのみが、図１２Ａ−１２Ｃに示されているが、任意の適切な数の時間ステップが、利用される測定デバイスのサンプルレートおよび利用されている処理アルゴリズムの要件に応じて、入力パラメータの完全分析で使用されてもよい。
【０１７４】
図１３Ａ−１３Ｃは、図１２Ａ−１２Ｃと同一の圧力データを示すが、また、その時点で力板１４０によって測定された、足１３５によって地面１４５に及ぼされた力２３０の水平成分も追加する（ベクトル２３０によって表される力の水平成分は、力の水平成分の方向を示し、力の相対規模は、ベクトルの長さによって表される）。分かり得るように、表される踵衝打型地面接触に関して、足１３５は、初期足衝打に応じて、実質的に足の進行方向に比較的大きい力を及ぼし、比較的少ない水平力が、足衝打事象の中間に印加され、比較的大きい力が、つま先が離れるときの進行方向と反対方向に実質的に逆行する。
【０１７５】
圧力および力データは、次いで、カスタマイズで使用される適切な性能測定基準を判定するために処理されることができる。本実施形態では、各点における圧力データは、足衝打事象内の各時間ステップにおける足底上の各点における足／地面相互作用を表すベクトルを生成し、以下の式に従って性能測定基準ベクトル（ＰＭＶ）を取得するように、その時点での力ベクトルによって乗算される。
ＰＭＶａｔ  ｅａｃｈ  ｔｉｍｅ  ｓｔｅｐ＝｛Ｃ１×圧力×力｝ａｔ  ｅａｃｈ  ｔｉｍｅ  ｓｔｅｐの関数
【０１７６】
式中、Ｃ１は、適切な増倍／調節係数である。
【０１７７】
図１４Ａ−１４Ｃは、図１３Ａ−１３Ｃのデータを使用して計算された、結果として生じる性能測定基準ベクトル２３５を示し、各点における圧力データは、円２２５によって示され、ベクトル２３５の長さは、ベクトルの規模を表す。図１５Ａ−１５Ｃは、全ての他の情報が図から除去された、３つの示された時間ステップにおける性能測定基準ベクトル２３５を示す。いったん性能測定基準ベクトル２３５が時間ステップ毎に計算されると、一実施形態では、以下の関数に従って、時間ステップ毎に各場所における個々の性能測定基準ベクトルを合計することによって、靴底にわたる各場所における最終性能測定基準が、判定されることができる。
ＰＭＶａｇｇｒｅｇａｔｅ＝［Ｃ２×ＰＭＶ｛ｔ１，ｔ２，ｔ３，．．．ｔＮ｝］の合計
【０１７８】
式中、Ｃ２は、適切な増倍／調節係数である。
【０１７９】
性能測定基準ベクトル（ＰＭＶ）の結果として生じる分布が、図１６Ａで見られることができ、各ベクトル２４０は、靴底上のその場所での各時間ステップにおける性能測定基準ベクトルの合計を表す。これらのベクトル２４０は、地面接触事象の経過にわたる地面１４５と足１３５との間の相互作用の水平成分の規模および方向の指標を提供する。
【０１８０】
種々の実施形態では、補正係数Ｃ１およびＣ２は、結果を加重および／または調節して、結果として生じる性能測定基準ベクトルが分析において重要な性能特性を表すことを確実にするために、使用されることができる。例えば、補正係数は、地面衝打事象の低荷重時間周期中の規模および方向を除外しながら、各場所における結果が、その場所における靴底のピーク荷重中にベクトルの規模および方向に焦点を当てることを確実にするために使用されてもよい。代替実施形態では、いかなる補正係数も要求されない。
【０１８１】
いったん性能測定基準ベクトルが生成されると、本情報は、性能測定基準に基づいてユーザ用の履物類の靴底の少なくとも一部の構造特性を判定するために利用されることができる。例えば、履物が地面接触事象中の牽引を向上させるようにカスタマイズされるものである、実施形態に関して、性能測定基準ベクトルは、外底の具体的領域中の性能測定基準ベクトルの規模に依存する牽引要素のサイズ、形状、および／または分布とともに、靴の外底または地面接触中底部分（またはその部分）の表面にわたって牽引要素を配向および分散するために使用されることができる。図１６Ａの性能測定基準ベクトル２４０に基づくカスタマイズされた牽引要素２４５を含む、履物類用の例示的外底が、図１６Ｂおよび１６Ｃで見られることができる。
【０１８２】
図１６Ｂでは、牽引要素２４５は、入力パラメータの測定中に利用される圧力センサ要素１８０の場所に対応する、規則的パターンで配列される。図１６Ｃに示されるもの等の代替実施形態では、牽引要素２４５は、入力パラメータの測定中に利用される圧力センサ要素１８０の具体的場所から独立している、任意の規則的または不規則的パターンで位置することができる。
【０１８３】
牽引要素２４５は、前縁２５０と、後縁２５５とを含むように、非対称に構築されてもよく、牽引要素２４５によって提供される牽引は、前縁２５０が性能測定基準ベクトルの方向と垂直であるように配向されたときに最適化され、これによって、具体的競技者の性能にとって最も重要な方向にカスタマイズおよび最適化された牽引を提供する。種々の例示的な一方向に配向された牽引要素２４５が、図１７Ａ−１８に示され、各牽引要素２４５は、具体的競技者のための性能測定基準ベクトルの方向に配向された前縁２５０（伸長縁または先端のいずれか）を伴う、好ましい配向を有する。
【０１８４】
牽引要素２４５の種々の実施形態は、より鋭い前縁２５０を生成するように設計される切り下げ２５７を含むことができ、それによって、前縁２５０に対面する方向への牽引を向上させる。切り下げ２５７のサイズおよび形状はまた、地面相互作用中の牽引要素２４５の可撓性に影響を及ぼし、それを制御することもでき、より大きい切り下げ２５７が、（後方傾斜部分２５９の同一の構成のための）より薄く、したがって、より可撓性の牽引要素２４５を生成する。牽引要素２４５のある実施形態は、後方傾斜部分２５９に対面する方向に牽引要素２４５によって生成される牽引を潜在的に低減し得る、後方傾斜部分２５９を含むことができる。結果として、牽引を低減させ、したがって、高い牽引が要求されず、実際に性能に悪影響をもたらし得る方向への摩擦を低減させながら、牽引は、足衝打事象の全体を通して、ある方向（例えば、足の上の種々の場所における地面相互作用と関連付けられる方向）により大きい牽引を生成するようにカスタマイズされることができる。牽引要素２４５の慎重な成形もまた、牽引要素２４５の性能を低下させることなく、使用される材料（したがって、要求される材料の重量）の最小限化を可能にすることができる。
【０１８５】
一実施形態では、牽引要素２４５は、牽引要素２４５のサイズが、その領域中の性能測定基準ベクトルの規模および／または方向に応じて変動するように、カスタマイズされることができる。代替として、または加えて、牽引要素２４５の数は、その領域中の性能測定基準ベクトルの規模および／または方向に応じて変動し得、例えば、より多数の牽引要素２４５が、性能測定基準ベクトルの高い規模を有する領域中に群がる。種々の実施形態では、牽引要素、トレッドパターン、および／またはスパイクパターンの任意の適切な分布、および牽引要素／トレッド／スパイク配向、形状、および／または構成が、問題になっている競技活動の要求される具体的性能特性および／または競技者の審美的および／または性能選好に応じて、外底をカスタマイズするために利用されることができる。
【０１８６】
本発明の種々の実施形態は、靴をカスタマイズする際に使用するための性能測定基準情報を取得するように、入力パラメータ情報を処理する異なるおよび／または付加的方法を含んでもよい。例えば、足の靴底上の測定された場所毎に別個の性能測定基準ベクトルを提供するのではなく、情報は、異なるゾーン毎に、異なる性能測定基準ベクトル、したがって、牽引要素の異なるサイズおよび配向を伴って、いくつかの所定のゾーン（例えば、踵ゾーン、中足ゾーン、および前足ゾーン）にわたって平均化されることができ、牽引要素の同一の配向およびサイズが、個々のゾーンの全体を通して分散される。これは、例えば、各時間ステップの圧力の中心を推定するために、その時間ステップにおける未加工圧力分布データを使用し、次いで、個々の競技者の足衝打の圧力ベクトルの中心を提供するように、各時間ステップの圧力データの中心を使用してベクトルを生成することによって、達成されてもよい。分散圧力データと同様に、圧力データの中心は、異なる競技者について大いに異なり得、したがって、具体的競技者用の履物のカスタマイズを可能にするように、貴重な差別化情報を提供することができる。
【０１８７】
種々の足衝打タイプの圧力ベクトル２５０の例示的概略中心が、図１９Ａ−２１Ｂで見られることができ、圧力ベクトル２５０の中心が、代表的力ベクトル２３０および合計圧力測定２５５とともに、踵を衝打する人（図１９Ａおよび１９Ｂ）、中足を衝打する人（図２０Ａおよび２０Ｂ）、および前足を衝打する人（図２１Ａおよび２１Ｂ）について示される。圧力ベクトル２５０の中心に沿った場所毎の性能測定基準ベクトルが、カスタマイズプロセスで利用される、例示的ゾーン２６０が、図２２Ａおよび２２Ｂで見られることができ、図２２Ａは、靴底２６５の長さに沿って等しく分割された、８つの別個のゾーン２６０に分割された靴底２６５を示し、図２２Ｂは、靴底２６５を覆う異なる長さおよび形状の７つのゾーン２６０を示す。種々の実施形態では、ゾーン２６０の任意の分布が、要求されるカスタマイズのレベルに応じて利用されてもよい。
【０１８８】
一実施形態では、性能測定基準情報（例えば、性能測定基準ベクトル）はさらに、外底内の牽引要素の分布の詳細を判定するように分析されてもよい。入力パラメータおよび／または性能測定基準情報を分析して、カスタマイズされた履物要素を設計するために利用され得る、例示的な幾何学的かつ数学的モデル化技法は、円パッキング、ドロネー三角分割、および／またはボロノイ分解（またはボロノイテッセレーション／ボロノイ図）を含んでもよいが、それらに限定されない。
【０１８９】
図２３Ａに示されるような例示的分析方法は、円パッキングの使用を含み、それによって、所与の表面（例えば、靴底２６５）上の等しいまたは様々なサイズの円２８０の配列は、重複が起こらないように、かつ全ての円２８０が相互に触れるように、最適化されることができる。円の数、円のサイズ（一様または異なるサイズのいずれかである）、および円の局所的分布は、システムの具体的要件に応じて、制御されることができる。一実施形態では、性能測定基準情報（例えば、靴底の全体を通した種々の場所における性能測定基準ベクトルの規模）は、円パッキングアルゴリズムへの入力として使用されることができ、所与の領域中の性能測定基準ベクトルの規模が、その領域中の円２８０のサイズおよび／または数を制御する。限定されないが、靴底２６５の全体を通して分散される円２８０の数、および／または付加的入力として靴底２６５の全体を通して分散される円の最大および最小サイズ等の制御入力を使用することは、円パッキングアルゴリズムが、性能測定基準情報を処理し、例えば、各円２８０の中心に位置付けられた牽引要素２４５とともに提供される、具体的入力に基づいて、牽引要素２４５の最適化された分布を生成することを可能にする。
【０１９０】
図２３Ｂに示されるような別の分析方法は、入力パラメータデータおよび／または性能測定基準データの最適化された三角分割を通して、靴底２６５内の最適な位置に牽引要素２４５を分散するように、ドロネー三角分割の使用を含む。本分析方法では、未加工入力パラメータデータおよび／または性能測定基準データは、靴底２６５を通して最適に分散される複数の三角形２８５を作成するために利用されることができ、牽引要素は、その後、各三角形２８５の中心頂点に位置する。別の関連分析方法は、複数の点（別様にシード、サイト、ジェネレータとして公知である）が事前に規定され、アルゴリズムが、３つ（またはそれを上回る）サイトまで等距離の点を表す、複数のボロノイ頂点または結節点２９０を生成するようにシード点の利用をもたらす、いくつかの領域に空間を分割する方法である、ボロノイテッセレーションの使用を含む。ボロノイテッセレーションアルゴリズムのための制御要素としての入力パラメータデータおよび／または性能測定基準データの利用は、牽引要素２４５のための場所を識別するように最適化されることができる、ボロノイセル２９５（結節点の間の領域）の作成および分布を可能にする。
【０１９１】
入力パラメータとしてユーザの足の性能特性および／または足の身体的特性を表す実験データを使用することに加えて、競技者の審美的および／または性能ベースの選好が、履物のカスタマイズを支援するために使用されることができる。例えば、限定されないが、牽引要素のサイズ、分布、および形状、要求される牽引のレベル、履物の耐久性、履物の可撓性、および／または履物の重量等の要素の重要性は、競技者によって変動し得る。結果として、本発明の一実施形態は、種々の制御可能ユーザ選好ベースの入力パラメータまたは選択基準の関連重要性に応じて、競技者がカスタマイズされた履物の設計を制御することを可能にする。本実施形態では、実験性能データおよび／または身体的特性データは、具体的ユーザのための牽引を最適化するように分散される牽引要素を用いて、基本のカスタマイズされた靴底を作成するために使用される。本基準カスタマイズは、次いで、例えば、牽引要素のサイズを縮小し、および／または（低重量が、向上した牽引よりも競技者にとってより重要である場合に）重量を低減させるように、または１つの具体的牽引要素タイプが、より快適であり、より良好に機能し、および／または競技者にとってより審美的に魅力的と見なされる、牽引要素の形状、サイズ、および分布を変動させるように、牽引要素の間に空隙を作成することによって、ユーザ選好を考慮するように修正されることができる。一実施形態では、異なる牽引要素およびスパイク形状が、足元条件および表面、気象条件、および／または行われている競技活動に応じて、選択されてもよい。加えて、直線を走ること、または曲線を走ることが、競技者および競技者の各靴の異なる性能測定基準を生じるため、競技者は、入力パラメータとして、牽引要素分布および配向が、直線走行入力パラメータデータおよび曲線走行入力パラメータデータによって加重される程度を選択することができる。一実施形態では、異なる性能要件および牽引要件が、異なる競走のために（例えば、短距離走、中距離種目、長距離種目、ハードル走種目等のために）必要とされ得る、または好まれ得る。
【０１９２】
一実施形態では、靴は、脱離可能かつ交換可能な外底要素（例えば、外底スパイク板）または地面接触中底要素を受容するように適合されてもよく、競技者の具体的要件に応じて外底要素を交換することによって、靴の牽引が調節されることを可能にする。例えば、競技者は、種々の気象条件、足元条件、競走、および他の関連パラメータのためにカスタマイズされた、いくつかの異なる外底要素を有してもよく、競技者は、具体的種目のために最も適切な板を自由に選択することができる。
【０１９３】
一実施形態では、履物の外底のカスタマイズされた物理的特性は、トレッドパターンを含んでもよく、または本質的にそれから成ってもよく、具体的パターン形状および配向が、具体的競技者の具体的性能測定基準情報およびユーザ選好情報に対処するようにカスタマイズされる。
【０１９４】
一実施形態では、重量は、空洞または空隙の作成を通して外底の慎重に選択された領域から材料を除去することによって、低減されることができる。空隙は、あまり有意ではない牽引が必要とされる領域中（踵を衝打する人の中足領域中等）、および／または空隙の追加が外底の構造的完全性に悪影響を及ぼさないであろう領域中のみに位置するように、方略的に配置されてもよい。空隙および／または空洞の作成はまた、一部の競技者用の履物の性能に有益に影響を及ぼし得る、増加した可撓性の領域を作成することもできる。
【０１９５】
履物外底、より具体的には、陸上競走用スパイクシューズ用の外底板の例示的構成が、図２４Ａ−２４Ｃに示されている。示される３枚の板はそれぞれ、異なるユーザ選好の選択に基づく完成した設計および構成の変動を伴って、同一の入力パラメータおよび性能測定基準から生成される。図２４Ａの実施形態では、例えば、板３００は、その領域中の性能測定基準データの規模に基づく各牽引要素３０５のサイズとともに、規則的に分散された牽引要素３０５および空隙３１０を伴って設計される。加えて、ユーザ選好が設定され、牽引が比較的重要な因子である一方で、重量低減は、あまり重要ではなく、より多数の牽引要素３０５およびより少数の重量低減空隙３１０をもたらす。
【０１９６】
図２４Ｂの実施形態では、板３１５は、不規則的な牽引要素３２０および空隙３１０の分布を伴って設計され、牽引要素３２０のサイズは、その領域中の性能測定基準データの規模に直接関連し、低重量およびより高い可撓性がより強調され、特に中足領域３２５内で、より多数の空隙をもたらす。図２４Ｃの実施形態では、板３３０は、不規則的に分散された牽引要素３３５を伴って設計され、牽引要素３３５は、性能測定基準データの高規模を有する領域中（前足領域３４５の中心部分３４０の中等）で、より緊密な形成でともに群がる。
【０１９７】
入力パラメータおよび性能測定基準の単一セットのためのユーザ選好基準の変動に基づく、カスタマイズされた設計の変形例のさらなる実施例が、図２５Ａ−２５Ｅで見られることができる。例えば、図２５Ａおよび２５Ｂは、同じ入力パラメータおよび性能測定基準を伴う２枚の板（３５０、３５５）を示すが、（特に、性能測定基準データの規模がより低い、中足領域３６０および前足領域３７０の外縁３６５内で、空隙３１０の分布およびサイズを増大させることによって）板３５０が、重量を低下させるように設計される一方で、板３５５は、重量低減よりも重要なパラメータとして設定されている牽引を伴って設計される（より少ない空隙３１０およびより多くの牽引要素３８０をもたらす）。
【０１９８】
同様に、図２５Ｃおよび２５Ｄは、図２５Ａおよび２５Ｂと同一の入力パラメータおよび性能測定基準のための異なる設計構成を有する、板（４００、４０５）を示し、板（４００、４０５）の牽引要素３８０のサイズは、図２５Ａおよび２５Ｂの実施形態で可能にされるものよりも小さい設定サイズに限定され、牽引要素３８０は、大規模性能測定基準データを有する領域中でより近くにともに群がる。板（４００、４０５）は、再度、同一の特性を有するように設計されるが、板４００は、高牽引よりも低重量を強調し、板４０５は、板４００よりも大いに牽引を強調し、より少ない空隙３１０をもたらす。
【０１９９】
図２５Ｅは、図２５Ａおよび２５Ｄと同一の入力パラメータおよび性能測定基準を使用して設計された外底板４１０の別の構成を示す。本実施形態では、選択基準は、牽引要素３８０の数を削減するが、より大規模な性能測定基準結果に対応する領域中で牽引要素３８０の有意に増大したサイズを可能にするように設定されている。再度、選択基準は、特に、性能測定基準データの規模がより低い、中足領域３６０および前足領域３７０の外縁３６５内で、空隙３１０の分布およびサイズを増大させることによって、重量を低減させるように設定されている。種々の代替実施形態では、牽引要素３８０および空隙３１０の分布は、限定されないが、牽引要素および／または空隙サイズ、形状、分布、数、および／またはサイズ変動等のいくつかの性能および審美的側面に関する、いくつかの選択基準によって制御されることができる。
【０２００】
一実施形態では、図２４Ａ−２５Ｅに示されるように、牽引要素を含む靴底板は、板から延在する牽引要素および板のある部分内に形成された空隙または空洞を伴う板様構造として、形成されることができる。代替実施形態では、図２６Ａ−３１Ｂに示されるように、靴底板は、牽引要素を接続する相互接続要素（例えば、バー）４１５のウェブ様構造を伴う複数の牽引要素として、形成されることができる。さらなる代替実施形態では、板は、着用者の性能要求を満たす必要な構造要件を有する、任意の適切な様式で形成されることができる。
【０２０１】
図２６Ａおよび２６Ｂは、同一のユーザ選択基準（例えば、牽引要素形状、サイズ、分布等）および同一の板構造（ウェブ様または格子構造で個々の牽引要素４３０を接続するバー４１５を伴う）を使用するが、２人の異なる競技者からの入力パラメータ（例えば、圧力および力データ）および性能測定基準（例えば、事前選択されたアルゴリズムに基づく、分析および処理された入力データ）を伴って設計された板（４２０、４２５）を示す。分かり得るように、入力パラメータを処理するために使用されるアルゴリズムは、同一のユーザ選択基準にさえも、異なる競技者によって生成される異なる入力パラメータに起因して、異なる牽引要素４３０分布を生成する。バー４１５または他の伸長要素を伴うウェブ様構造の追加は、伸長要素の形状、厚さ、および配向に応じて、制御された安定性、可撓性／剛性、支持、および／または保護を提供するように設計される構造要素の組み込みを可能にする。
【０２０２】
一実施形態では、陸上競技用スパイク型ランニングシューズ用の外底板は、板と一体的に形成された牽引要素に加えて、さらなる牽引を提供するように、脱離可能なスパイクが板に搭載されることを可能にする、搭載要素を伴って形成されることができる。これらの搭載要素は、要求される具体的スパイクおよびスパイク構成に応じて、任意のサイズ、形状、および構成であってもよい。種々の実施形態では、任意の数のスパイクが、板に搭載されることができ、３、４、５、または６つのスパイクが、多くの陸上競技者によって利用される。陸上競技用スパイク用の搭載要素４４５を伴う、陸上競技用スパイク型シューズ用の例示的外底板４４０が、図２７に示されている。
【０２０３】
一実施形態では、板は、競技者が曲線トラックを走っている間に、地面と左足および右足の両方用の靴との間の異なる地面相互作用を考慮するように形成されることができる。左の靴４５０および右の靴４５５用の例示的板が、図２８Ａおよび２８Ｂで見られることができ、各足の異なる入力パラメータ（例えば、圧力および力データ）が、各板のための異なる牽引要素４６０構成をもたらす。一実施形態では、曲線トラックを走るために具体的に適合される一足の靴は、カスタマイズされた靴底板と、その開示が参照することによってその全体として本明細書に組み込まれる、米国特許公開第２０１０／０２２９４２６号に説明される靴甲等の具体的に設計され、そして潜在的にカスタマイズされた靴甲との両方を含み得る。曲線トラック走行中に得られる入力パラメータから設計される、別の一対の外底板（４６２、４６５）が、図２９Ａおよび２９Ｂで見られることができ、結果は、図２８Ａおよび２８Ｂのものと異なる靴底板形状について、および異なる競技者の入力パラメータについて較正される。種々の実施形態では、処理アルゴリズムは、靴の具体的形状に応じて、板または外底の任意の形状の表面内に牽引要素および／または空隙を分散するように設計されてもよい。
【０２０４】
直線走行中に得られる入力パラメータ測定を利用する、一対の外底板（４７０、４７５）が、図３０Ａ−３１Ｂに示され、左足板４７０および右足板４７５が、平面図および斜視図の両方で示される。図３１Ａおよび３１Ｂに示されるように、板（４７０、４７５）は、そこから延在する牽引要素４８０を伴って、実質的に平坦な構造として形成されてもよい。図２７に示される靴底板４４０等の代替実施形態では、板は、板が靴底またはその一部（例えば、曲線または傾斜下面外形を有する外底）に噛合することを可能にするように、曲線または傾斜外形を伴って製造されることができる。種々の代替実施形態では、靴底板または外底要素の任意の適切な形状が、設計されてもよい。
【０２０５】
本発明の一実施形態では、入力パラメータは、牽引要素を伴う地面接触構造に加えて、またはその代わりに、カスタマイズされた中底またはカスタマイズされた中底構成要素（例えば、ヒールカップおよび／または前足ドロップイン構成要素）を設計するために使用されることができる、性能測定基準を判定するために利用されてもよい。圧力および力測定入力パラメータデータの分析から設計される例示的中底が、図３２Ａ−３２Ｃで見られることができる。本実施形態では、中底５００は、結節点５１０の間に延在する複数の伸長要素５０５を伴う格子またはウェブ様構造として形成される。格子構造内の伸長要素５０５および結節点５１０の分布は、具体的競技者の入力パラメータから取得される性能測定基準データおよびその競技者の選択基準によって判定される。より具体的には、伸長要素５０５および結節点５１０は、中底５００の異なる領域中で、増加または減少した支持、増加または減少した緩衝、および／または増加または減少した安定性の面積を提供するように配列されることができる。
【０２０６】
図３２Ａ−３２Ｃの実施形態では、格子構造は、より多くの結節点５１０が、より短い伸長要素５０５を伴って、高い性能測定基準値の領域中に位置付けられ、それによって、競技者５２０の中足骨頭の位置に近接する中心前足領域５１５中等のこれらの領域中で付加的構造支持を提供するように、配列される。種々の実施形態では、格子構造の性質は、限定されないが、各伸長要素５０５の長さ、各伸長要素５０５の厚さ、各伸長要素５０５の密度、および／または各伸長要素５０５の材料等の構造の種々の側面を規定することによって、制御されることができる。加えて、限定されないが、結節点５１０のサイズ、形状、密度、および／または材料等の性質はまた、中底５００のある性能特性が満たされていることを確実にするように制御されてもよい。図３２Ａ−３２Ｃの実施形態では、伸長要素５０５および結節点５１０は、三角形の構造を形成する。代替実施形態では、任意の適切な構造形成が利用されてもよい。一実施形態では、伸長要素５０５および結節点５１０は、限定されないが、四面体（すなわち、４つの三角形の面を有する多面体）、立方体、八面体、十二面体、二十面体等の複数の多面体形状を形成する。例えば、中底５００またはその一部は、複数の四面体形状の「セル」を形成する、伸長要素５０５のマトリクスから形成されてもよい。セルの相対的サイズ、形状、および構造性質は、異なる構造特性を靴の異なる領域に付与するように、中底５００の全体を通して変動されてもよい。
【０２０７】
図３２Ａ−３２Ｃの格子構造等の構造は、伸長要素５０５と結節点５１０との間に開放空洞を伴う開放ウェブ様構造を可能にすることによって、重量を最小限にしながらも、競技者の性能要件を満たすように、靴底構成要素（例えば、中底または中底要素）のカスタマイズされた設計を可能にするという点で、競技者にとって有益であり得る。一実施形態では、格子構造は、開放構造として残されてもよい。代替実施形態では、材料（例えば、軽量発泡体）が、開放空洞を充填するように格子構造に注入されてもよく、それによって、付加的構造支持を提供する。
【０２０８】
一実施形態では、中底格子構造の設計は、限定されないが、円パッキング、ドロネー三角分割、体積メッシュ形成、および／またはボロノイ分解等の数学アルゴリズムによる、性能測定基準データの処理を通して作成されてもよい。競技者の性能測定基準データを分析するためにボロノイ分解を使用する、中底用の例示的構造構築物が、図３２Ｄに示され、分析で使用される中底メッシュを計算するために、スカラー六面体圧力マッピング分布として表される性能測定基準データが、図３３に示されている。本実施形態では、履物類の靴底の体積表現内の圧力分布は、特定の競技者に行われた圧力測定に従って体積の周囲に分散された高圧力領域５２８および低圧力領域５２９を伴う、等高線図５２７によって表される。
【０２０９】
本明細書に説明される方法およびシステムに従って設計および構築された別の例示的中底が、図３４Ａ−３４Ｆに示されている。本実施形態では、中底５３０は、包まれたつま先区分５４０を有する前足領域５３５と、中足領域５４５と、踵領域５５０とを含む。中底５３０はさらに、靴甲に係合するための上面５５５と、靴の外底に係合するため、および／または（１つまたは複数の付加的外底要素を提供する必要なく）地面接触表面を提供するための下面５６０とを含む。中底５３０はさらに、完成した靴に組み立てられたときに露出され得る、または完成した靴に組み立てられたときに透明または不透明被覆要素によって完全または部分的に被覆され得る、側壁５６５を含む。中底５３０の構造は、複数の結節点５７５において継合する複数の伸長要素５７０を含み、組み合わせられた伸長要素５７０および結節点５７５は、複数の開放三角形構造区画５８０を形成する。上記で議論されるように、伸長要素５７０および結節点５７５の具体的配列は、所与の競技者のための具体的性能測定基準に基づいてカスタマイズされることができ、中底５３０は、それによって、具体的競技者のためのカスタマイズされた緩衝、支持、および可撓性（および他の可能性として考えられる性能利益）を提供する。
【０２１０】
種々の実施形態では、任意の適切な皮膜、カバー、および／またはカプセルが、構造またはその部分のための外側表面カバーを提供するように、形成後に構造に追加されてもよい。これは、構造のための保護を提供し、泥、水等による構造の目詰まりを防止し、付加的構造性質を構造に提供し、および／またはユニークな審美的要素を構造に提供してもよい。皮膜／カバーは、限定されないが、熱可塑性ポリウレタン（ＴＰＵ）、熱可塑性エラストマー（ＴＰＥ）、および／または編物、織物、または不織布繊維製品等の任意の適切な材料から製造されてもよい。
【０２１１】
上面５５５は、靴甲に、例えば、靴甲用のストローベルボードに、接着、縫着、または別様に取り付けられてもよい。ある実施形態では、内底が、中底５３０と靴の着用者の足との間に別個の層を提供するように、完成した靴の中で中底５３０の上方に配置されてもよい。ある実施形態では、上面５５５が取り付けられる、上面５５５の上方に位置付けられたストローベルボードは、別個の内底構成要素に加えて、またはその代わりに、中底５３０と着用者の足との間に材料層を提供する。代替実施形態では、上面５５５は、縁のみにおいて靴甲に取り付けられ、いかなるストローベルボード、内底、または他の材料層も、中底５３０と完成した靴の着用者の足との間に生じない。
【０２１２】
図３４Ａ−３４Ｆの実施形態では、上面５３０は、中底５３０の重量を低減させ、中底５３０と靴甲との間に通気性を提供することができる、複数の空隙５８５を含む。空隙５８５は、任意の特定のパターンで配列され、履物の具体的性能、通気性、および重量要件に応じて、任意の適切な形状で配列されてもよい。一実施形態では、空隙５８５の場所、サイズ、および形状は、競技者の具体的性能測定基準に基づいて判定されることができ、それによって、カスタマイズされた通気性および負荷分散板を提供する。一実施形態では、上面５５５は、いかなる空隙５８５もその中に有していなくてもよく、これは、例えば、靴甲が結合されることができる、付加的表面積を提供する際に有益であり得、また、付加的通気性が所望されない、または必要ではない実施形態において（例えば、防水履物において）有益であり得る。一実施形態では、上面５５５の形状は、所与の競技者の足形状に対して具体的に輪郭形成されてもよく、それによって、競技者のためのカスタマイズされた適合を提供する。
【０２１３】
中底５３０の下面５６０は、本発明の種々の実施形態では、１つまたはそれを上回る外底要素が（例えば、接着によって）添着され得る表面を提供することができる、または中底５３０のための直接地面接触表面を提供することができる、複数の扁平下部接触表面５９０を含む。これらの下部接触表面５９０の形状、サイズ、および構成は、標準化されてもよい、または個々の競技者の入力パラメータ、性能測定基準、および／または選択基準の分析および適用を通してカスタマイズされてもよい。代替実施形態では、下面５６０は、中実の空隙のない表面であることができる。底面５６０から延在する複数の牽引要素５９５を有する、中底５３０を含む、本発明の別の実施形態が、図３５で見られることができる。本実施形態では、牽引要素５９５の底面６００は、中底５３０のための直接地面接触表面を提供し、それによって、付加的外底要素を追加する必要なく、中底５３０が機能することを可能にする。
【０２１４】
一実施形態では、入力パラメータおよびアルゴリズムは、靴用の内底を設計するために利用されてもよく、内底は、競技者の具体的身体的特性に対してカスタマイズされ、内底の構造は、競技者のためにカスタマイズされた感触および／または性能特性を提供するように設計される。代替実施形態では、本明細書に説明される方法およびシステムは、任意の外底、中底、および／または内底構造、および限定されないが、全外底、中底、および／または内底、外底、中底、および／または内底内に（例えば、靴の前足、中足、および／または踵内に、および／または靴の内側、外側、および／または中心区分の中に）配置するための挿入物等の構成要素を設計して製造するために使用され得る。一実施形態では、本明細書に説明されるシステムおよび方法は、カスタマイズされた靴底要素に加えて、またはその代わりに、カスタマイズされた靴甲および／または靴甲部分を作成するために利用されることができる。
【０２１５】
本明細書に説明される方法およびプロセスに従って単一の一体構造として製造される、靴底６１５と、靴甲６２０とを含む、例示的靴６１０が、図３５Ａ−３５Ｅに示されている。本実施形態では、靴底６１５は、開放ウェブ様構造を形成するように離間された複数の隣接円形要素６３０から形成される、中底６２５を含む。靴甲６２０は、靴６１０を形成する一体構造を作成するように、靴底６１５と一体的に形成され、靴甲６２０は、タン６４０を含む靴甲６２０の大部分を形成する、連結されたメッシュ様部分６３５を含み、支持要素６４５は、高い歪みの領域中で（例えば、中足領域６５０および踵領域６５５中で）付加的構造支持を提供する。代替実施形態では、カスタマイズされた一体構造は、靴の底および／または甲の具体的領域のみを形成してもよく、付加的材料および構造要素が、カスタマイズされた構造に取り付けられる。種々の実施形態では、靴６１０は、任意の適切な閉鎖手段を用いて構築されることができ、閉鎖手段は、靴甲および／または靴底要素とともに形成される、または形成後に靴に取り付けられる。一実施形態では、面ファスナ型配列の両側が、付加製造プロセスで作成されることができ、結果として生じる面ファスナ構造は、閉鎖手段を提供するように、付加製造後に分離可能である。
【０２１６】
一実施形態では、靴甲またはその一部は、本明細書に説明される方法を通して（例えば、付加製造を通して）形成され、その後、完成した部品を形成するように、繊維製品または他の材料に熱溶接される、融合される、結合される、または別様に取り付けられることができる。一実施形態では、靴甲用の平坦なシェルが、付加製造を通して形成され、その後、完成した靴甲を形成するように、繊維製品に熱プレスされる（または別様に結合される、または取り付けられる）ことができる。一実施形態では、成形された金型／熱プレス成形が、（シェルとともに、またはシェルとは別個にのいずれかで）作成されることができ、次いで、シェルの構造定義（例えば、隆起部分）が熱プレス手順中に失われないことを確実にするために使用されることができる。
【０２１７】
本明細書に説明される方法およびプロセスを利用して、靴６１０の靴底６１５および／または甲６２０の要素のうちのいずれかは、完全にカスタマイズされた靴を生産するように、競技者の具体的入力パラメータ、性能測定基準、および／または選択基準に基づいて、カスタマイズされることができる。例えば、支持要素６４５の位置、サイズ、形状、パターン、構造、および材料性質は、競技者の走り方、足の形状、性能要件、および審美的要件に具体的に対処する支持を提供するように、競技者の入力パラメータに基づいてカスタマイズされることができる。加えて、限定されないが、メッシュ様部分６３５の位置、サイズ、形状、パターン、構造、および材料性質等の要素もまた、競技者の走り方、足の形状、性能要件、および審美的要件に具体的に対処する支持を提供するように、競技者の入力パラメータに基づいてカスタマイズされてもよい。代替実施形態では、靴底６１５および／または靴甲６２０の要素は、個々の競技者の具体的性能および審美的要件を生成するように、任意の適切な寸法（例えば、形状およびサイズ）、構造、材料性質（例えば、密度）を有する、任意の適切な開放または閉鎖構造で形成されることができる。
【０２１８】
種々の実施形態では、本明細書に説明されるセンサおよび測定のうちのいずれかは、競技者の具体的要件に応じて、全体として靴６１０、または単独で靴底６１５および／または靴甲６２０（またはその限定された領域）をカスタマイズするための適切な入力パラメータを提供するために使用されてもよい。靴がカスタマイズされることができる要因は、競技者の性能および技法、競技者の足の身体構造、損傷予防および／または保護、重量の考慮事項、支持の考慮事項、および／または審美的考慮事項を含むが、それらに限定されない。一例示的実施形態では、応力／歪みゲージが、個々の競技者の歩行周期中に高いおよび低い応力／歪みを受ける靴甲の領域を識別するように、入力パラメータの測定中に競技者の靴甲の上に配置されることができ、本明細書に説明されるアルゴリズムおよび方法は、さらなる支持を要求する、その競技者のためのカスタマイズされた靴甲の領域、およびそれほど支持を要求しない（したがって、より軽いおよび／またはより可撓性の材料および／または材料構造から構築されることができる）靴甲の領域を識別するために、本情報を使用する。
【０２１９】
代替実施形態では、応力／歪みデータは、足の部分の相対的位置付けの識別、およびその相対的位置付けの経時的な変化を提供する、足／靴の上のマーカとともに、競技運動中の足／靴の光学カメラ走査（または他の適切な走査または測定技法）の使用を通して、収集されることができる。相対的位置の変化の分析は、競技運動中の靴／足の各領域における応力および歪みを計算するために使用されることができる。
【０２２０】
本明細書に説明される方法および材料を使用して形成され得る、別の例示的中底が、図３７Ａ−３７Ｄで見られることができる。本実施形態では、中底５００は、結節点（接続場所）５１０の間に延在する複数の伸長要素５０５を伴う格子またはウェブ様構造として形成される。格子構造内の伸長要素５０５および結節点５１０の分布は、一実施形態では、具体的競技者（または競技者のグループ）の入力パラメータから取得される性能測定基準データ、およびその競技者（または競技者のグループ）の選択基準によって判定されてもよい。代替として、格子構造は、競技者のカテゴリの標準化支持および性能要件を提供するように、より一般的に作成されてもよい。本実施形態では、格子構造（または体積メッシュ構造）は、隣接要素を共有する六角形のセル７０５を備える、一連の四面体を含むマトリクスから成る。本実施形態では、構造は、四面体の各面の中心点を辺のそれぞれの中間点に接続することによって作成される。
【０２２１】
種々の実施形態では、多面体または任意の適切なサイズ形状および構造関係が、性能および審美的考慮事項に基づいて、要求されるレベルの支持、可撓性、緩衝、および他の構造、性能、および／または審美的パラメータを、靴底またはその一部の異なる領域に提供する、セルの格子を形成するために利用されてもよい。中底の構造特徴を作成するために使用され得る、例示的多面体は、四面体、切頂四面体、立方体、切頂立方体、十二面体、切頂十二面体、八面体、切頂八面体、より高次の多面体または切頂多面体、および／または任意の適切な数の辺の角柱（例えば、三角柱、五角柱、六角柱、またはより高次の角柱）を含むが、それらに限定されない。一実施形態では、中底全体またはその一部は、（様々なサイズ、要素の厚さ等が、要求される場合、異なる構造性質を異なる領域に付与するために使用される）単一の多面体構造から形成されることができる。別の実施形態では、複数の異なる多面体が、単一の中底（またはその一部）に組み込まれてもよい。そのような構造はまた、靴の他の部分（例えば、靴甲またはその一部）、および／または競技用衣服、競技用保護／詰め物、および／または競技用器材、またはその一部を形成するために、利用されてもよい。
【０２２２】
一実施形態では、図３７Ｄに示されるように、中底５００の底（または下）面５６０は、その中に地面接触要素（例えば、外底要素）または他の構造特徴が配置され得る、１つまたはそれを上回るくぼみ７１８を含んでもよい。他の可能性として考えられる構造特徴は、緩衝要素、牽引要素、保護要素（例えば、板）、撓曲制御要素、性能監視センサ等を含んでもよいが、それらに限定されない。種々の実施形態では、１つまたはそれを上回るくぼみまたは空洞は、１つまたはそれを上回る構造特徴が配置されるための場所を提供するように、中底の任意の部分に（例えば、中心領域内に、上または下面上に、内側および／または外側に、および／または前足、中足、および／または踵領域中に）位置してもよい。一実施形態では、牽引要素は、中底の中へ直接構築化されてもよく、それによって、付加的な別個の外底要素の必要性を完全または部分的に打ち消す。
【０２２３】
本明細書に説明される方法および材料を使用して形成される別の例示的中底が、図３８Ａおよび３８Ｂで見られることができる。本実施形態では、セル構造７２０は、四面体要素の中心から伸長要素５０５を生じさせ、各角における結節点５１０でそれらを継合することによって作成される。多面体セル７３０の中間層と交互になる歪曲正方形グリッドを形成する、正方形のセル７２５を備える、さらなる例示的中底が、図３９Ａおよび３９Ｂに示されている。
【０２２４】
図４０Ａおよび４０Ｂに示されるような別の例示的中底５００は、四面体の面を形成する円形要素７３５（またはリング）を有する、複数の多面体（この場合は四面体）から形成されてもよい。これらのリング７３５のサイズおよび厚さは、異なる構造性質をその異なる領域に付与するように、中底５００の体積にわたって変動し得る。立方体の面を形成する円形要素７３５（またはリング）を有する、複数の多面体（この場合は立方体）から形成される別の中底が、図４１Ａ−４２に示されている。サイズおよび厚さの変化に加えて、リング７３５は、異なる構造性質をその異なる領域に付与するように、形状が（円形から楕円形または任意の適切な幾何学形状の他の曲線形状に）変動し得る。
【０２２５】
一実施形態では、中底５００の下面５６０は、その上または中に地面接触要素（例えば、外底要素）または他の構造要素が位置付けられる、または添着されることができる、位置付け要素７４０を含む。これらは、例えば、その上に外底要素が恒久的に（または取り外し可能に）添着されて保持され得る、安定した構造を提供することができる。一実施形態では、１つまたはそれを上回る板７４５が、付加的構造および支持を中底５００の上面５５５および／または下面５６０に提供するように、中底５００と一体的に形成（または添着）されることができる。中底５００の上面５５５全体を被覆する例示的板７４５が、図４２に示されている一方で、中底５００の上面５５５の外周の周囲に延在する材料のバンドを備える、板７４５が、図５０に示されている。板７４５は、緩衝および保護を着用者の足に提供し、および／またはその上に靴甲が接着または別様に添着されることができる、中実表面を提供してもよい。
【０２２６】
本発明の一実施形態による、別の例示的中底が、図４３Ａおよび４３Ｂに示されている。本実施形態では、楕円形７５０が形成され、中底５００を形成するようにともに継合される。四面体のセルの面に位置し、構造要素の開放マトリクスを形成するように共有壁構造７５５を通してともに継合される、複数の楕円形要素７５０を含む、別の実施形態が、図４４に示されている。
【０２２７】
一実施形態では、中底５００内のセルは、図４５−５０に示されるように、複数の隣接する三角形の要素７６０から形成されることができ、三角形の要素は、四面体形状の構造要素のマトリクスの面を形成する。種々の実施形態では、三角形または任意の他の形状は、鋭いまたは丸みを帯びた角を有してもよい。一実施形態では、伸長要素は、（例えば、荷重中の剪断を低減させる／防止するために）付加的構造安定性を中底５００に提供するように中底５００のある領域中で実質的に垂直の配列に配列されることができる。加えて、上記で議論されるように、セルを形成する伸長要素５０５のサイズは、中底５００にわたって変動されることができ、例えば、さらなる構造支持を要求する領域（競技者の前足の下等）は、（図４７Ｂに示されるような）より短い伸長要素５０５を伴う、より小型のセル７６２を有する。
【０２２８】
一実施形態では、中底５００の形状は、競技者の足の形状の走査データに基づくことができる。競技者の形状に実質的に共形化する上面５５５を有する、例示的中底５００が、図４５で見られることができる。
【０２２９】
種々の実施形態では、伸長要素は、直線または曲線であり得、要求される構造特性を中底の領域に付与するように、任意の適切な長さ、厚さ、および配向であってもよい。厚さは、一定であり得る、または伸長要素の長さにわたって変動し得る。１つまたはそれを上回る伸長の配向は、実質的に垂直であり得る、または垂直に対して鋭角であってもよい。伸長要素は、（靴底の方向に対して）実質的に縦方向に、または実質的に横方向に、またはその間の任意の角度で傾斜し得る。例えば、伸長要素は、競技運動中にその場所で中底に加えられる主要な負荷の方向に対向する配向に配列されてもよい。
【０２３０】
一実施形態では、楕円形要素７７０等の構造要素は、限定されないが、図５１Ａ−５２に示される回転楕円体構造７７５等のより大型の構造セルの面を形成するように配列されてもよい。種々の実施形態では、伸長要素および／または楕円形要素は、任意の適切な構造特性を中底に提供する構造セルのマトリクスを生成するように、任意の適切な様式で配列されてもよい。
【０２３１】
本明細書に説明される中底構造の種々の実施形態は、異なる密度、指向性強度等を有する領域を生成し、異なる構造性質を中底の異なる領域を付与するように歪曲または別様に調節される、構造セルのマトリクスを含むことができる。（伸長要素５０５の長さを増大させ、したがって、結果として生じるセル７８２のサイズを増大させることによって形成される）より低い密度７８０の領域と、（伸長要素５０５の長さを縮小し、したがって、生じるセル７８７のサイズを縮小することによって形成される）より高い密度７８５の領域とを有する、例示的歪曲マトリクスが、図５３で見られることができる。
【０２３２】
一実施形態では、要素の格子またはマトリクスが、例えば、履物類用の靴甲または靴甲の部分を形成し、および／または履物の製造で使用するための靴型を形成するために使用され得る、足形状を形成するために使用されることができる。これらの足形状７９０は、中空内部、または構造化または部分的に構造化された内部を有してもよい。鎖帷子型構造を形成する複数の伸長要素５０５を備える、例示的足形状が、図５４Ａ−５５Ｂに示されている一方で、六角形および五角形のセル７９５のマトリクスを形成する複数の伸長要素５０５を備える、足形状が、図５６Ａおよび５６Ｂで見られることができる。代替実施形態では、任意の適切な構造または構造の組み合わせが、足形状を形成するために利用されてもよい。
【０２３３】
種々の実施形態では、これらの構造は、（例えば、製造目的のために靴型を形成するときに）実質的に剛性かつ非可撓性の材料から形成されてもよい、または（例えば、履物用の靴甲またはその一部を形成するときに）可撓性および／または弾性材料から形成されることができる。一実施形態では、靴甲および／または他の靴要素（例えば、靴底要素、または組み合わせられた靴底および靴甲要素）の部分等の構造は、完全または部分的圧潰または扁平状態で形成され、その後、完成した部品を形成するように拡張されることができる。これは、例えば、圧潰状態でオブジェクトを形成することが、製造中に大いに低減した体積要件を可能にし、それによって、有意により多くの部品が単一の製造行程で製造されることを可能にする、付加製造で、特に有益であり得る。一実施形態では、靴要素または任意の他の構造（例えば、保護衣服または詰め物、スポーツ用品等）が、（例えば、構築に応じて、または製造金型、粉末槽等からの構造の解放に応じて、自動的に変形するように、形成構造で事前形成される弾性変形応力を有することによって）初期形成後に完成した部品に弾性的に変形する、可撓性材料から製造されることができる。代替として、または加えて、構造は、構造を所望の形状に再形成するように、初期形成後に塑性変形を可能にする材料から形成され得る。
【０２３４】
一実施形態では、構造（例えば、靴底および／または靴甲）は、部品が屈曲または圧潰状態で形成され、その後、完成した構造を作成するように変形されることを可能にするように、１つまたはそれを上回るヒンジまたは他の変形可能構造要素を用いて、例えば、付加製造技法を通して形成されることができる。別の実施形態では、構造は、圧潰状態での初期形成後に、ブラダが完成したサイズまで構造を「膨張させる」ように配置されることができる、内部空洞を伴って形成され得る。
【０２３５】
一実施形態では、履物類用の中底８００は、複数の連結要素８１０を通して接続された複数の独立構造要素８０５から形成されてもよい。例示的連結システム、および複数の構造要素８０５および連結要素８１０から形成された中底８００が、図５７−５８Ｅで見られることができる。本実施形態では、連結要素８１０は、可撓性、弾性的または塑性的に変形可能であり得、および／または制御された程度の可撓性および操作可能性を伴う中底８００を提供するように、（例えば、隣接構造要素８０５の間の相対移動を可能にするために十分に緩くなることによって）構造要素８０５内である程度の弾力性を提供してもよい。構造要素８０５は、その中に連結要素８１０が拡張する開口部を有する、中空壁付き要素として形成される。連結要素８１０は、鎖帷子型連結配列を形成するように隣接構造要素８０５の間に延在する、屈曲伸長要素として形成される。代替実施形態では、構造要素８０５および連結要素８１０は、任意の適切な形態をとってもよく、隣接構造要素の間で接続相対移動を提供する、任意の適切な形態の構造が利用されてもよい。一実施形態では、構造要素８０５は、連結要素８１０を伴う一体構造として形成されてもよい。別の実施形態では、構造要素８０５および連結要素８１０は、別個の相互接続された要素であることができる。構造要素８０５および連結要素８１０は、靴の底および／または甲、またはその一部、または衣服、競技用器材、または保護器具／詰め物の一部を形成するために利用されてもよい。
【０２３６】
一実施形態では、構造要素８０５および／または連結要素８１０のサイズおよび形状は、中底８００の異なる領域が、異なる形状、サイズ、および／または構造特性を伴う構造要素８０５を有するように変動し得る。例えば、図５８Ａ−５８Ｅの実施形態は、より小型の構造要素８０５を有するつま先区分８１５と、より大型の構造要素８０５を有する前足領域８２０と、中間サイズの構造要素８０５を有する中足領域８２５および踵領域８３０とを含み、サイズの変化は、４つの構造要素８０５がその全長を通して中底の幅に跨架することを可能にする。代替実施形態では、任意の適切な数の要素が、構造の幅に跨架してもよく、要素の数および配列は、その長さおよび／または幅にわたって変化し得る。
【０２３７】
構造要素８０５の間に相対運動を提供することは、中底８００の形状およびサイズの調節を可能にし、単一の構造が足の複数のサイズおよび形状に適合することを可能にするように、中底８００が形成後に操作されることを可能にする。例えば、幅および／または長さが拡張および縮小し得る中底８００は、複数の靴のサイズに適合するように調節されることができる。図５８Ｂおよび５８Ｃに示されるように、中底８００は、第１の長さＬ（１）および幅Ｗ（１）を有し、それによって、第１の靴サイズに適合するように調節されることができる、または第２の長さＬ（２）および幅Ｗ（２）を提供し、それによって、第２の靴サイズに適合するようにするように広げられることができる。本調節を可能にすることは、単一の構造が無数の異なる足のサイズ、幅、および形状を網羅することを可能にするであろう。
【０２３８】
加えて、構造要素８０５の相対移動を可能にすることは、中底８００が第１の構成（例えば、図５８Ｄに示されるように平坦）で製造され、その後、最終曲線構成（例えば、図５８Ｅに示されるように、縦方向範囲の少なくとも一部に沿った曲線）に再形成されることを可能にする。これは、例えば、平坦な状態で中底８００を形成すること（および形成後に曲率を構造に追加することのみ）が、製造中に大いに低減した体積要件を可能にし、それによって、有意により多くの部品が単一の製造行程で製造されることを潜在的に可能にする、付加製造で、特に有益であり得る。
【０２３９】
中底８００は、任意の適切な方法によって、完成した形状に係止されることができる。例えば、中底８００は、所望の形状に成形され、その後、構造要素８０５および連結要素８１０を係止配列に融合させるように任意の適切な化学または熱処理によって処理されることができる。代替として、または加えて、発泡体、接着剤、または他の材料は、その所望の形状で中底８００を保持するように、中底８００に融合されることができる。
【０２４０】
例えば、サッカー、アメリカンフットボール、ラグビー、または滑り止めを要求する他のスポーツで使用するための滑り止め付き牽引要素を有する、例示的靴底要素（この場合は外底板）が、図５９Ａ−５９Ｅに示されている。これらの実施形態では、外底板８５５上の滑り止め付き牽引要素８５０のサイズ、形状、および配列は、着用者によって要求される、要求される構造、性能、および／または審美的性質を提供するように、任意の適切な様式で配列されることができる。一実施形態では、滑り止め付き牽引要素８５０の位置付け、配向、および構造特性は、本明細書に説明される方法およびシステムの利用に基づいて、競技者の要件に合わせてカスタマイズされることができる。
【０２４１】
一実施形態では、滑り止め付き牽引要素８５０は、例えば、図５９Ｅに示されるように、断面が実質的に円形であり得る。代替として、滑り止め付き牽引要素８５０は、例えば、図５９Ｄ（３面リブ付き構造を有する、滑り止め付き牽引要素８５０を示す）に示されるように、中心コアから複数の延在部を生成するようにリブ付きであり得る。代替実施形態では、楕円形の滑り止め、ブレード付き滑り止め、または三角形の滑り止めを含むが、それらに限定されない、任意の適切な断面滑り止め形状が利用されてもよい。これらの滑り止めは、テーパ状である場合もあり、そうではない場合もあり、基板から実質的に９０°または鋭角で延在してもよい。
【０２４２】
一実施形態では、靴底構造（例えば、外底板または中底要素）は、靴底構造のある領域内で制御された可撓性を提供するように、１つまたはそれを上回る撓曲溝を組み込んでもよい。カスタマイズされた履物に関して、これらの撓曲溝の位置付けは、例えば、競技者の走査足データおよび／または性能データに基づいてもよい。
【０２４３】
撓曲溝８６０を有する滑り止め付き靴底構造用の外底板８５５が、図６０Ａ−６０Ｅに示されている。撓曲溝８６０は、外底板８５５を、複数の領域、すなわち、内側前足領域８６５、外側前足領域８７０、内側中足領域８７５、外側踵領域８８５の中へ延在する外側中足領域８８０、および内側踵領域８９０に分割する。代替実施形態では、隔離された領域の任意の適切な配列が、競技者の生理学、靴の性能要件、および／または審美的考慮事項に応じて、利用されてもよい。
【０２４４】
一実施形態では、牽引要素は、一次牽引要素および二次牽引要素の１つまたはそれを上回るセットに分割されることができ、一次および／または二次牽引要素の一方または両方は、競技者からのバイオメトリックおよび／または性能データに基づいて、位置付けられ、定寸され、および／または成形される。図６０Ｂ−６０Ｅは、種々の異なる外底板８５５を示し、図６０Ｂは、一次牽引要素９００のみを有する板を示し、図６０Ｃ−６０Ｅは、一次牽引要素９００および二次牽引要素９０５の種々の構成を示す。図６０Ｅはまた、図６０Ｂ−６０Ｄで利用されるものと異なる一次牽引要素９００の形状を示す。
【０２４５】
一実施形態では、性能および／またはバイオメトリック情報は、測定および処理された競技者データに基づいて、カスタマイズされた滑り止めが位置付けられ得る、多角形のグリッドを生成するために利用されることができる。その上に重ね合わせられたマッピング／グリッド構造９１０を有する、例示的外底板８５５が、図６１Ａで見られることができる。本実施形態では、グリッド要素の縁９１５は、滑り止め付き牽引要素９２０が外底板８５５上に位置付けられ得る、セル９２５の縁に対応する。滑り止め付き牽引要素９２０のサイズ（例えば、高さ）および形状は、本明細書に説明されるように、競技者からの性能および／またはバイオメトリック情報の処理に基づいてもよい。
【０２４６】
本明細書に説明されるように、競技者データを処理する種々の手段が、具体的競技者のためのカスタマイズされた牽引要素構造および位置を計算する際に利用されることができる。例えば、滑り止め付き牽引要素で使用するためのいくつかの例示的処理方法が、図６２Ａ−６２Ｄに示されている。これらの図は、具体的フィルタリング、処理、および他の分析ツール選択に応じて、単一のデータセットから作成されることができる、異なる牽引要素構成を示す。
【０２４７】
図６２Ａは、競技運動の経過の全体を通した全てのデータの直接平均化および単純加重に基づく、外底板８５５上の滑り止め付き牽引要素８５０の配列を示す。図６２Ｂは、フィルタ処理されたデータセットに基づく、外底板８５５上の滑り止め付き牽引要素８５０の配列を示し、所与の場所におけるデータサンプルの最大１０％のみが、その場所において滑り止め付き牽引要素８５０構成を作成するために使用される。図６２Ｂは、データ処理へのゾーンアプローチに基づく、外底板８５５上の滑り止め付き牽引要素８５０の配列を示し、外底板８５５の異なる領域（またはゾーン）中のデータは、各領域のための主要な性能要件（例えば、縦方向または側方支持、着地またはつま先が離れる支持等）の識別に基づいて、独立して処理される。図６２Ｄは、図６２Ｃのゾーンデータの加重フィルタリングに基づく、外底板８５５上の滑り止め付き牽引要素８５０の配列を示し、着目点に近接する点からのデータが、領域間のデータ移行を円滑化するために使用される。代替実施形態では、任意の他の適切な処理および分析技法が、適宜、利用されてもよい。
【０２４８】
滑り止め付き牽引要素９４５を伴う外底板９４０を設計する例示的方法が、図６３Ａ−６３Ｇに示されている。本実施形態では、バイオメトリックおよび性能データが、競技者に関して収集され、サッカーシューズ／ブーツ等の靴用の外底板９４０の表面にわたって好ましい滑り止め９４５の場所、サイズ、および形状を判定するために使用される。データはまた、板９４０のための好ましい構造を判定し、競技者に合わせてカスタマイズされる、優れた可撓性、支持、および安定性を提供するために使用されることもできる。
【０２４９】
図６３Ａ−６３Ｇの実施形態では、カスタマイズ設計プロセスで使用されるデータは、競技者の足の幾何学形状に関するバイオメトリックデータ（例えば、足の幾何学形状の光学走査を通して取得される足走査データ９５０）を含む。加えて、競技運動中の足の下の圧力分布と関連付けられる圧力データ９５５および競技運動中の足と地面との間の力の方向および規模と関連付けられる力ベクトルデータ９６０が、競技者に具体的に結び付けられる滑り止め構成を提供するために使用される。代替実施形態では、付加的および／または異なるバイオメトリックおよび／または性能データが、カスタマイズプロセスで使用されることができる。
【０２５０】
一実施形態では、競技者は、いくつかの異なる競技運動（例えば、直線走行、曲線走行、跳躍、疾走、旋回、蹴る等）を行うことができ、これら全ての異なるデータセットは、データ処理アルゴリズムに組み込まれる。異なる運動のデータは、競技者の性能および／または競技者選好に対する具体的運動の優勢性に基づいて加重されることができる。例えば、１人の競技者（例えば、サッカー選手）が、直線速度を最大限にするように具体的に設計される靴を所望または必要とし得る一方で、別の競技者は、疾走速度および／または安定性を増進するように設計される靴を所望または必要とし得る。データはまた、他のデータセットおよび運動にとって不利益になるほど、結果が１つのデータセットおよび運動の上に重ならず、それによって、広範囲の運動にわたってカスタマイズされた支持を提供する靴を作成することを確実にするように、加重または別様にフィルタ処理されることもできる。
【０２５１】
処理されたデータは、次いで、図６３Ｄに示されるように、所望の滑り止め９４５の場所、サイズ、および指向性配向のマトリクス９６５を作成するために使用される。本データは、次いで、より大きいまたは少ない程度の可撓性（例えば、縦方向、側方、および／または捻転可撓性）が所望される、より大きいまたは少ない程度の剛性が所望される、より大きいまたは少ない程度の構造支持が要求される、およびより大きいまたは少ない程度の保護が要求される、外底板９４０上の場所を判定するように、さらに処理されることができる。本データは、次いで、競技者のためのカスタマイズされた牽引制御および構造支持を両方とも提供する、一体多重構成要素構造を作成するために使用されることができる。例えば、データは、（図６３Ｅに示されるような）牽引要素のカスタマイズされたマトリクスを含む、一次格子構成要素９７０、および（図６３Ｆに示されるような）カスタマイズされた可撓性、剛性、構造支持、および保護を提供するように設計される支持構造の格子またはウェブを含む、二次格子構成要素９７５を作成するために使用されることができる。これら２つの格子構成要素は、次いで、競技者の性能およびバイオメトリック必要性に具体的に適合される構造を提供する、最終外底板９４０設計を作成するように組み合わせられることができる。
【０２５２】
種々の実施形態では、牽引要素、可撓性要素（例えば、撓曲溝）、支持要素等の任意の適切な組み合わせが、靴要素に組み込まれることができる。要素は、（その競技者のバイオメトリックおよび性能データの分析に基づいて）具体的競技者に合わせてカスタマイズされる、または具体的競技運動を行う複数の競技者または可動域の分析に基づいて、より一般的な平均構造を提供するように設計されることができる。
【０２５３】
一実施形態では、牽引要素は、製造のために要求される材料を低減させるように、および板の重量を低減させるように、実質的に中空の構造として形成されてもよい。各滑り止め付き牽引要素９８０の中空内部９９０内に延在する構造安定性要素９８５のウェブとともに、複数の中空滑り止め付き牽引要素９８０を有する、滑り止め付き靴用の例示的靴底板９７８が、図６４Ａおよび６４Ｂに示されている。構造安定性要素９８５は、滑り止め付き牽引要素９８０のための構造支持を提供するために使用されてもよく、任意の適切な形態をとってもよい。代替実施形態では、中空滑り止め付き牽引要素９８０は、単独で十分に構造的に安定して頑丈であり、それによって、構造安定性要素９８５の必要性をなくし得る。一実施形態では、材料（例えば、発泡体、ゴム、または別の適切な材料）が、安定性を要素に提供するように、および／または緩衝および／または他の構造利益を靴底板９７８に提供するように、中空滑り止め付き牽引要素９８０の中に挿入されてもよい。
【０２５４】
例えば、サッカーで使用するための滑り止め付き牽引要素を有する、例示的運動靴が、図６６ａ−６６Ｄに示されている。本実施形態では、靴（またはブーツ）１０００は、靴甲１００５と、靴底１０１０とを含み、靴底１０１０は、地面係合のために係合される底面１０２０と、靴１０００の内面に対面する上面とを有する、靴底板１０１５を含む。靴底１０１０は、当技術分野で公知であるように、任意の適切な様式で靴甲１００５に固定して取り付けられることができる。靴底１０１０は、限定されないが、靴底板１０１５と着用者の足との間に位置付けられる内底（例えば、発泡内底）等の付加的要素を含むことができる。選択された緩衝要素を有する例示的内底要素は、その開示が参照することによってその全体として本明細書に組み込まれる、２０１５年２月１２日に出願された米国特許出願第１４／６２０，５３９号で説明されている。
【０２５５】
靴甲１００５は、タン１０２５と、紐システム１０３０とを含む、足の甲部分１０２２を含む。代替実施形態では、（図６７Ａおよび６７Ｂの靴１０００に示されるような）ブリトー型タン、パッド付きタン、またはタンなしの足の甲部分が、利用されてもよい。靴甲１００５は、異なる場所で異なるテクスチャおよび／または緩衝特性を有する外層を含み、種々のテクスチャが、行われている具体的競技運動（例えば、靴１０００によるサッカーボールの衝打）に応じて、着用者に最適化された牽引、緩衝、および反発／エネルギー返還特性を提供することによって、靴１０００の性能を向上させるように靴甲１００５の関連付けられる場所において異なる性能特性を提供する。例えば、（例えば、これらの領域中の発泡材料の使用を通して、および例えば、靴の内側中足の中で）靴甲１００５のある領域に増加した緩衝を提供することは、着用者が自分にパスされているボールをより良好に制御することを可能にすることができる（その領域中の材料の緩衝性質が、ボールのエネルギーを放散し、それによって、足に到達する際にボールの制御を容易にする）一方で、他の面積により高いエネルギー返還／減少した緩衝を提供することは、靴１０００のその領域の反発特性を向上させ、それによって、最大エネルギー伝達、それによって、最大ボール速度が有利であり得る、ボール衝打運動（例えば、ゴールにシュートする）中の足とボールとの間の力の伝達を増加させることができる。
【０２５６】
図６６Ａおよび６６Ｂに示される靴甲１００５は、内側前足領域１０６２中に位置する、異なるテクスチャを有する、第２の靴甲部分１０６０とともに、外側中足領域１０４０、外側前足領域１０４５、中心前足領域１０５０、および内側中足領域１０５５の大部分を被覆する第１の靴甲部分１０３５を含む。一実施形態では、第２の靴甲部分１０６０は、第１の靴甲部分１０３５と同一の材料から形成されてもよく、例えば、第１の靴甲部分１０３５との一体材料部分として形成されてもよく、異なるテクスチャが、テクスチャリング機構（例えば、表面テクスチャリング、表面粗化、表面平滑化、材料を成形して固化するための熱の印加、外側表面への粘着性材料等の付加的材料または化学処理の適用等）を通して、第２の靴甲部分１０６０に適用される。代替実施形態では、第２の靴甲部分１０６０は、第１の靴甲部分１０３５と異なる材料から形成されてもよい。一実施形態では、テクスチャリング／牽引および緩衝性質のその独自の組み合わせをそれぞれ有する、３つまたはそれを上回る異なる靴甲部分が、利用されてもよい。
【０２５７】
図６６Ａに示される第２の靴甲部分１０６０は、複数の規則的に散在した平行隆起１０６５と、くぼみ１０７０とを含み、隆起は、靴１０００の縦軸（すなわち、前から後に靴に沿って縦方向に延在する軸）に対して約４５°の角度で延在する。代替実施形態では、隆起１０６５は、約１０°〜約８０°、より具体的には、約３０°〜約６０°、または約４０°〜約５０°の角度でさえも延在することができる。隆起１０６５は、任意の適切な様式で実質的に直線または曲線であり得る。隆起１０６５は、任意の適切な幅および高さであってもよく、一実施形態では、約１ｍｍ〜約１０ｍｍ、例えば、約４ｍｍ〜約８ｍｍ（例えば、約６ｍｍ）の幅と、約０．１ｍｍ〜約３ｍｍ、例えば、約０．５ｍｍ〜１．５ｍｍ（例えば、約１ｍｍ）の高さとを有することができる。隆起１０６５の間のくぼみ１０７０は、隆起１０６５と同一の幅を有する、またはより小さいまたはより大きい幅を有することができる。一実施形態では、くぼみ１０７０は、隆起１０６５の幅の約半分の幅を有することができる。代替実施形態では、隆起１０６５およびくぼみ１０７０は、より大きくまたは小さく、特定の実施形態に対して、適宜、任意の適切な寸法比を有することができる。
【０２５８】
代替実施形態では、第２の靴甲部分１０６０は、限定されないが、斜交平行パターン、複数の離散隆起および／またはくぼみ要素、（周辺外側表面に対する）粗化または平滑化表面、および／または粘着性表面等の任意の適切なテクスチャリングを有することができる。第２の靴甲部分１０６０等の面積上に隆起１０６５および／または他のテクスチャリングを提供することは、靴甲１００５の外側表面と競技者によって制御されて蹴られているボールとの間にカスタマイズされた牽引を提供する。これは、例えば、適切な回転をボールに付与する際に有益であり得、異なる表面テクスチャが、種々の回転をボールに付与するように、異なる方法でボールと相互作用する。靴甲１００５に、異なるテクスチャおよび緩衝性質をそれぞれ有する、複数の異なる靴甲部分１０３５、１０６０を提供することによって、靴１０００は、競技者にボール相互作用ゾーンのユニークな組み合わせを提供するように適合されることができ、各ゾーンの性質は、特定の競技者または競技者のグループの選好に合わせてカスタマイズされる。
【０２５９】
第１の靴甲部分１０３５および／または第２の靴甲部分１０６０は、任意の適切な材料から作製されることができ、多層材料パッケージ、例えば、繊維製品内層（図６６Ａおよび６６Ｂの六角形の孔１０７５を通して視認される陰影付きの基層）と、発泡中間層（その中に孔１０７５を伴う図６６Ａおよび６６Ｂに示される層）と、繊維製品外層（ドット付きパターンによって図６６Ａおよび６６Ｂに示される）とを有する、３層パッケージから形成されてもよい。内および外層上の繊維製品は、任意の適切な天然または合成材料から形成される、通気性または非通気性織物、不織布、編物、または別様に構造化されたメッシュ材料を含んでもよい、または本質的にそれから成ってもよい。中間層は、発泡材料、非発泡材料、または繊維製品から形成されてもよい。例示的中間発泡層は、Ｔｉｏｎｇ  Ｌｉｏｎｇ  Ｉｎｄｕｓｔｒｉａｌ  Ｃｏ．  ，Ｌｔｄ．（Ｔａｉｃｈｕｎｇ  Ｃｉｔｙ，  Ｔａｉｗａｎ）によって製造されるようなＡｒｉａｐｒｅｎｅ（Ｒ）から製造されてもよく、発泡層は、孔１０７５を生成するように穿孔され、その後、内層と外層との間に積層される。一実施形態では、靴甲材料および／または多層材料パッケージ内のいずれか１つまたはそれを上回る層は、その中に孔または他の構造要素を伴って形成されることができ、例えば、材料の穿孔または切断によって、またはその中に孔および／または他の構造特徴を伴う材料層を成形する、編む、織る、または別様に形成することによって、作成される。種々の実施形態では、孔は、選択された程度の通気性、一方向または多方向伸張、緩衝、および／または支持を提供するように定寸、成形、および／または配向されることができる。
【０２６０】
示されるように、発泡中間／中層は、複数の規則的に分散された多角形の孔１０７５（この場合は六角形の孔）を含み、これらの孔は、第１の靴甲部分１０３５に規則的に離間したくぼみを作成し、それによって、通気性を提供し、第１の靴甲部分１０３５に規則的なテクスチャを作成する。孔１０７５は、約１ｍｍ〜約１０ｍｍ、例えば、約４ｍｍ〜約８ｍｍ（例えば、約６ｍｍ）の（六角形断面の平坦側から平坦側までの）幅を有することができる。代替実施形態では、孔１０７５は、特定の実施形態に対して、適宜、より大きくまたは小さくあり得る。代替実施形態では、孔１０７５は、実質的に円形、卵形、または任意の他の適切な断面であることができる。例えば、図６７Ａおよび６７Ｂに示されるような靴１０００は、規則的に分散された卵形の孔１０７５を含む発泡中間層を有する、多層材料パッケージを含む、第１の靴甲部分１０３５を有する、靴甲１００５を含み、本第１の靴甲部分１０３５は、外側前足領域１０４５、中心前足領域１０５０、内側前足領域１０６２、および内側中足領域１０５５を覆って延在する。
【０２６１】
孔１０７５の深度、したがって、第１の靴甲部分１０３５上のテクスチャリングの深度は、中間層内の発泡材料の厚さ、および外層が孔１０７５の中へ延在する程度に依存する。したがって、第１の靴甲部分１０３５の適切な緩衝および牽引特性を確実にするように、発泡中間層の厚さの慎重な選択が要求され、より厚い発泡層が、さらなる緩衝およびより優れたテクスチャリングを提供する。一実施形態では、発泡中間層は、約０．５ｍｍ〜約２ｍｍの厚さを有することができるが、より薄いおよびより厚い中間層が、要求される具体的性能特性に応じて利用されてもよい。
【０２６２】
靴甲１００５は、第１の靴甲部分１０３５および第２の靴甲部分１０６０によって提供されるものに加えて、付加的構造特徴を含むことができる。例えば、図６６Ａおよび６６Ｂに示されるように、靴甲１００５は、踵カラー１０８５（例えば、クッション付き踵カラー）および構造化踵カウンタ１０９０を組み込む、踵部分１０８０を含むことができる。加えて、付加的な材料層が、適切である場合、付加的構造支持および他の性能特性を靴１０００に提供するように、靴甲１００５の１つまたはそれを上回る領域において、靴甲１００５の表面の内部または外部のいずれかに（または多層材料部分内に）位置してもよい。例えば、図６７Ａおよび６７Ｂに示される靴１０００は、付加的構造支持を着用者の中足に提供する、外側中足領域１０４０、内側中足領域１０５５、および足の甲領域１０２２内の第４の材料層１０９５と、周辺材料部分と異なる表面テクスチャを有する、中足領域内の第２の靴甲部分１０６０とを含む（第４の材料層１０９５は、内側中足領域１０５５中の第１の靴甲部分１０３５を覆って、かつ外側中足１０４０内で、外側中足領域１０４０を覆って踵領域１０８０の周囲に延在する、付加的または第３の靴甲部分１１１０を覆って延在する）。本第４の材料層１０９５は、任意の適切な通気性または非通気性織物、不織布、編物、または別様に構造化されたメッシュ材料（例えば、中足領域中でさらなる支持を提供するように、周辺材料よりも低い弾性を有する、軽量の高強度対重量比合成材料）から形成されることができる。
【０２６３】
一実施形態では、図６７Ａおよび６７Ｂに示されるように、第４の材料層１０９５は、１つまたはそれを上回る空間１１０５、例えば、第４の材料層１０９５が別の方向よりも１つの方向に伸張することを可能にするように位置付けられて配向されることができる、伸長孔を含む。例えば、実質的に靴底１０１０から紐１０３０に向かった方向に延在するように、空間１１０５を配向することによって、第４の材料層１０９５は、靴１０００の縦軸に沿って、より大きい程度の可撓性を依然として提供しながら、その方向により大きい程度の支持を提供することができる（それによって紐システム１０３０を支持する）。種々の実施形態では、任意の材料層内の空間１１０５のサイズ、形状、および配向は、材料層によって被覆される領域および要求される具体的性能特性に応じて、任意の適切な伸張、支持、および通気性特性を提供するように選択されることができる。
【０２６４】
靴甲部分の特定の構成、およびこれらの異なる靴甲部分によって提供される牽引／テクスチャ、緩衝、エネルギー返還、および支持特性の特定の構成は、競技者または競技者のグループの一般設計要件に基づいて、選択されてもよい、または本明細書に説明されるように、競技者、競技者のグループ、および／またはスポーツまたは競技のスタイルのために具体的にカスタマイズされた構成を提供するように、１つまたはそれを上回る実験データセットの分析に基づいて判定されることができる。例えば、靴の種々の部分における応力および／または歪みの物理的および／または光学的測定が、材料部分の位置付けおよび配向のために最適な領域を判定するために使用されることができる一方で、ボールを制御して衝打するときのサッカーボールと靴との間の相互作用の測定（例えば、異なるボール衝打のボールの回転および速度の測定、足の上の圧力および／または力測定等）は、足の異なる領域中の牽引／テクスチャおよび緩衝特性の適切な分布を判定するために使用されることができる。
【０２６５】
一実施形態では、具体的競技演習（例えば、走行、旋回等）およびボールを衝打する動き（例えば、シュート、パス、トラップ等）を行う１人またはそれを上回る競技者に関するバイオメトリックデータおよび／または性能データが、具体的タイプの競技者または競技性能のタイプを最も良好に支援するために、靴甲１００５の上の材料の分布の判定で使用されることができる。使用される具体的データは、例えば、競技ポジション（例えば、ゴールキーパ、ディフェンダ、ミッドフィールダ、またはストライカ）、性能のレベル（例えば、初心者、中級者、または熟達者）、および／または競技スタイル（例えば、速度ベース、強度ベース、正確度ベース等）に関連する性能特性に基づくことができる。材料の位置付け、配向、および選択、材料性質、および靴甲１００５の各領域中の材料の処理が、次いで、要求される特定の性能のために適切に選択されることができる。
【０２６６】
図６６Ａおよび６６Ｂの靴１０００の靴底板１０１５が、図６６Ｃおよび６６Ｄに示されている。靴底板１０１５は、具体的設計考慮事項に基づいてサッカーシューズ１０００の最適化された性能特性を提供するように、成形、配向、および配列される複数の牽引要素を含む。より具体的には、靴底板１０１５は、遠位端１１２５を有する複数の第１の牽引要素１１２０と、中心コア１１４０から延在する複数の延在部１１３５（この場合は実質的に三角形の配列に配列された３つの延在部）によって形成される側壁１１３０とを含む、第１の靴底部分１１１５を含む。代替実施形態では、牽引要素１１２０は、本明細書に説明されるように、任意のサイズ、形状、および配向であり、任意の適切な様式で分散されることができる。
【０２６７】
靴底板１０１５はさらに、遠位端１１２５を有する４つの第２の牽引要素１１５５、１１６０、および実質的に六角形の断面を有する側壁１１３０を伴う、第２の靴底部分１１４５を含む。代替実施形態では、第２の靴底部分１１４５は、より多数またはより少数の牽引要素を含むことができ、牽引要素は、本明細書に説明されるように、任意のサイズ、形状、および配向であり、任意の適切な様式で分散されることができる。例えば、本発明の一実施形態では、第２の牽引要素のうちの１つまたはそれを上回るもの、および／または第１の牽引要素１１２０のうちの１つまたはそれを上回るものは、円形、卵形、または多角形断面（例えば、三角形、正方形、長方形、五角形、六角形、またはより高次の多角形）を有することができ、任意の適切な高さおよび断面積であることができる。
【０２６８】
示されるように、第２の靴底部分１１４５は、靴底板１０１５の内側中足領域１０５５および内側前足領域１０６２に近接して、靴底板１０１５の下面の内側部分を覆って延在し、より具体的には、靴底板１０１５の少なくとも第１の中足領域覆って延在する。靴底板１０１５は、板１０１５の内側前足領域１０６２中で３つの第２の牽引要素１１５５の前方に（例えば、靴底板１０１５の縁１１６５に近接して）位置付けられた第４の第２の牽引要素１１６０を伴って、第１の中足領域に近接して実質的に三角形のパターンで配列される、３つの第２の牽引要素１１５５を含む。
【０２６９】
牽引要素は、要求に応じて、対称または非対称に構成されてもよい。加えて、牽引要素は、様々な高さおよびサイズ、または全て同一の高さおよび／またはサイズであってもよく、任意の適切な角度でテーパ状になってもよい。第１の靴底部分１１１５および第２の靴底部分１１４５中の牽引要素はそれぞれ、本明細書に説明されるように、靴１０００の要求される性能要件のためにその牽引特性を最適化するように配向されることができる。
【０２７０】
第２の靴底部分１１４５は、靴底板の幅の約５０％〜約８０％にわたって内側縁から中心領域まで延在することができる。第２の靴底部分１１４５は、靴底板の縁に近接する第１の縁１１６５と、前足において靴底板の縁から靴底板の中心領域まで延在する第２の縁１１７０と、中足領域から、靴底板の縁から靴底板の中心領域まで延在する第３の縁１１７５とを含み、第２の縁１１７０および第３の縁１１７５は、靴底板１０１５の中心領域中１１７８で合流して交わる。代替実施形態では、第２の靴底部分１１４５は、靴底板１０１５の任意の適切な幅を覆って延在し、任意の適切な形状であることができる。一実施形態では、第１の靴底部分１１１５および第２の靴底部分１１４５は、１つまたはそれを上回る撓曲溝によって分離される。撓曲溝はまた、第１の靴底部分１１１５および／または第２の靴底部分１１４５内の任意の適切な場所に位置付けられることもできる。
【０２７１】
一実施形態では、第１の靴底部分１１１５は、第２の靴底部分１１４５と異なる材料から形成され、例えば、第１の靴底部分１１１５は、ナイロンから形成され、第２の靴底部分１１４５は、熱可塑性ポリウレタン（ＴＰＵ）から形成される。一実施形態では、第２の靴底部分１１４５は、（第２の靴底部分１１４５が第１の靴底部分１１１５の下に位置するように）第１の靴底部分１１１５の下面に結合される、それと共同成形される、またはそれに機械的に取り付けられる。代替実施形態では、第１の靴底部分１１１５は、第２の靴底部分１１４５が第１の靴底部分１１１５の下に位置しないが、むしろ靴１０００の下面上でそれのそばに配置されるように、第２の靴底部分１１４５が挿入されることができる、切り抜き部分を有してもよい。
【０２７２】
牽引要素は、任意の適切な材料から形成されてもよく、例えば、金属（例えば、アルミニウムまたは鋼鉄）またはＴＰＵから作製された（遠位端１１２５に近接する）先端部分を伴って、そこからそれが延在する靴底部分で使用されるものと同一の材料から一体的に形成された基礎部分を有することができる。一実施形態では、牽引要素はそれぞれ、同一の材料（例えば、ＴＰＵ）から形成された先端を有する。代替実施形態では、第１の靴底部分１１１５および／または第２の靴底部分１１４５内の異なる牽引要素は、異なる材料から形成された先端を有することができる。例えば、本発明の一実施形態が、（例えば、着用者の母指球の周囲に）高い摩耗を有する領域中に金属先端付き牽引要素を含むことができる一方で、より低い摩耗の領域中の牽引要素は、ＴＰＵ先端を有する。先端は、牽引要素および靴底板領域の基部と共同成形されてもよい、または板を成形した後に（例えば、結合または機械的取付、例えば、螺合接続を通して）接続されてもよい。
【０２７３】
種々の実施形態では、靴底板１０１５は、任意の適切な数および配列の板部分を含むことができ、例えば、異なる領域が、異なる程度の剛性、捻転安定性、可撓性、および／または指向性または無方向牽引を提供する。付加的剛性が、例えば、靴底１０１０の適切な領域を覆って延在する支持要素（例えば、板から、または板を通って延在する材料の伸長バー）によって、提供されることができる。例えば、捻転支持バー１１８０が、その領域中で支持および捻転制御を提供するように、中足領域を通して位置付けられることができる。代替実施形態では、支持要素は、靴底１０１０上の任意の適切な場所に配置されて配向されることができる。
【０２７４】
靴底板１０１５の異なる領域に、異なる板材料および構成、およびそこから延在する異なる滑り止め／牽引要素を提供することは、行われている競技運動に応じて、領域によって変化する有益な性能特性を有する靴底を作成することができる。例えば、図６６Ｃおよび６６Ｄに示される靴底板１０１５は、地面と相互作用して適切な線形牽引を提供するが、地面内に埋め込まれたときに靴が比較的容易に回転することを可能にし、体重の大部分が母指球の上に（すなわち、第１の中足骨頭に近接する領域中に）あるときに着用者が迅速かつ容易に枢動することを可能にするように構成される、実質的に平滑な滑り止め／牽引要素（例えば、円形または六角形断面の滑り止め）を有する、第１の中足領域に近接して位置する第２の靴底部分１１４５を含む。これは、例えば、方向に迅速な変更を要求する移動において、特に有益であり得る。しかしながら、母指球から離れて第１の靴底部分１１１５の中に第１の牽引要素１１２０を指向的に依存して配置および配向することによって、着用者は、足のより大部分が地面上にあるときに（例えば、歩行周期の蹴りだす運動中に）余分な牽引を獲得することができる。そのような適切な配列で異なる牽引要素を組み合わせることは、着用者の要件に応じて、靴１０００が迅速な旋回運動および急な加速の両方を支援することを可能にする。
【０２７５】
サッカーブーツ／シューズ１０００用の別の靴底板１０１５が、図６７Ｃ−６７Ｅに示されている。本実施形態では、靴底板１０１５は、再度、第１の靴底部分１１１５と、第２の靴底部分１１４５とを含むが、第２の靴底部分中の牽引要素と同一の一般構成の第１の靴底部分中の牽引要素を伴い（すなわち、そこから延在する３つのリブを伴う中心コアを伴い）、サイズ、形状、および配向は、その領域中の靴１０００の牽引性質を最適化するように、適宜、変更される。
【０２７６】
本実施形態では、第２の靴底部分１１４５は、複数の二次牽引要素１１９０であって、第１および第２の靴底部分内の一次牽引要素よりも小さいサイズの二次牽引要素１１９０を含む。二次牽引要素１１９０は、複数の相互接続された伸長要素１１９５によって接続され、靴底板１０１５のその領域中で付加的牽引を提供する。代替実施形態では、二次牽引要素１１９０および／またはトレッド要素の任意の適切な構成が、靴の種々の領域の牽引を支援するために利用されることができる。図６７Ｅに示されるように、二次牽引要素１１９０は、靴１０００の内側縁１１９７のみが地面と接触している、高角度疾走移動中でさえも、靴のための牽引を提供するように、靴底板１０１５の内側縁１１９７まで外に延在し、つま先が離れる間に付加的牽引を提供するように、靴底板１０１５の内側前足領域全体を覆って延在することができる。
【０２７７】
図６７Ｃ−６７Ｅの靴底板はさらに、中足領域のための適切な剛性および捻転制御を提供するように、靴底板１０１５の中足領域中に隆起構造支持要素１２００を含む。ここでは、構造支持要素１２００は、トラス様構造を形成する、複数の相互接続された伸長要素１２０５から形成される。隆起構造支持要素１２００は、要求される支持および靴の重量要件に応じて、中空または中実であり得る。一実施形態では、構造支持要素１２００は、付加的牽引要素として作用し、靴のための付加的牽引を提供するように、相互接続された伸長要素１２０５の間の（および／または構造支持要素１２００上の他の場所の）接続領域において突出１２１０を含むことができる。
【０２７８】
本明細書に説明されるカスタマイズされた履物要素は、限定されないが、射出成形、ブロー成形等の任意の適切な製造技法を通して、または限定されないが、選択的レーザ焼結（ＳＬＳ）、溶融堆積モデリング、ステレオリソグラフィ、積層オブジェクト製造、インクジェットベースの付加製造、または材料の層状添加／堆積を含む任意の適切なコンピュータ制御製造技法等の高速製造（付加製造）技術を使用して、製造されることができる。
【０２７９】
一実施形態では、本明細書に説明されるカスタマイズされた履物構成要素は、ＳＬＳ製造方法および工具の使用を通して製造されることができる。ＳＬＳは、プラスチック、金属（直接金属レーザ焼結）、セラミック、またはガラス粉末の小粒子を、所望の３次元形状を有する塊に融合させるために、高出力レーザ（例えば、二酸化炭素レーザ）を使用する、付加製造技法である。レーザは、粉末槽の表面上で（例えば、ＣＡＤファイルまたは走査データからの）部品の３Ｄデジタル記述から生成される断面を走査することによって、粉末材料を選択的に融合させる。各断面が走査された後、粉末槽は、１つの層厚さだけ下げられ、新しい材料層が上に適用され、本プロセスは、部品が完成するまで繰り返される。ＳＬＳ製造は、種々のプラスチック、セラミック、および／または金属を使用して部品の形成を可能にする。履物構成要素の製造で使用され得る例示的材料は、ポリマー、例えば、限定されないが、ナイロン（アミド）、熱可塑性ポリウレタン（ＴＰＵ）、熱可塑性エラストマー（ＴＰＥ）、ポリエーテルブロックアミド（ＰＥＢＡ）、および／またはポリエステル等の半結晶性ポリマーを含むが、それらに限定されない。他の材料は、形状記憶プラスチック、スチレンブタジエンスチレン（ＳＢＳ）等の熱可塑性エラストマー（ＴＰＥ）、エチレン酢酸ビニル（ＥＶＡ）、および／またはブタジエンゴム等のゴムを含んでもよい、または本質的にそれから成ってもよい。例示的金属は、限定されないが、アルミニウム、チタン、ステンレス鋼、ニッケル合金、コバルトクロム、マルエイジング鋼、形状記憶合金（限定されないが、ニッケルチタン等）、または他の合金等の材料を含む。一実施形態では、限定されないが、ナイロンまたは炭素繊維またはガラス繊維等の付加的充填材料が、完成した部品の性質を修飾するように基礎材料に追加されることができる。ＳＬＳ付加製造で使用するための例示的熱可塑性材料、およびこれらの材料を使用して部品を製造する方法が、その本開示が参照することによってそれらの全体として本明細書に組み込まれる、Ｃｌａｕｓｅｎ  ｅｔ  ａｌ．に対する米国特許第６，１１０，４１１号およびＭａｒｔｉｎｏｎｉ  ｅｔ  ａｌ．に対する第８，１１４，３３４号で開示されている。
【０２８０】
ＳＬＳは、選択された材料の粒子槽上に、所望のエネルギーを有するレーザビームを選択的に発射することによって、層毎の様式における３次元物品の形成を通して構成要素の金型を作成する必要なく、構成要素を製造するための高速手段を提供する。加えて、ＳＬＳは、従来の成形技法を通して製造されることができない、複雑な一体構造の作成を可能にする。例えば、切り下げ区分を伴う統合牽引要素を含む外底は、従来の射出またはブロー成形製造プロセスを通して製造することが極めて困難であろうが、ＳＬＳまたは他の付加製造方法を使用して、容易に製造される。カスタマイズされた部品を製造するために利用され得る、例示的ＳＬＳ機械は、本発明の一実施形態では、ＥＯＳ  ＧｍｂＨ  Ｅｌｅｃｔｒｏ  Ｏｐｔｉｃａｌ  Ｓｙｓｔｅｍｓ（Ｋｒａｉｌｌｉｎｇ，  Ｇｅｒｍａｎｙ）製のＰ３９５選択的レーザ焼結システムである。
【０２８１】
ＳＬＳ等の高速製造技法を利用することの他の利点は、例えば、第１の材料の基板および第２の材料の統合牽引要素を伴う外底構造を可能にする、異なる材料の異なる層を有する構造を作成する能力である。加えて、レーザ出力およびレーザの走査進路の速度等のＳＬＳ製造で利用されるレーザの性質を慎重に制御することによって、カスタマイズされた部品を構築するために使用される材料の密度および他の構造性質が、構造の異なる領域にわたって慎重に制御されることができる。これは、例えば、より高い密度（したがって、増加した強度および剛性）の牽引要素とともに、より低い密度（したがって、より軽量でより可撓性の）基板を可能にする。これはまた、単一の構造の異なる区分（例えば、単一の構造内の異なる牽引要素および／または単一の基板内の異なる区分）が、異なる密度、強度、および／または剛性性質を伴って形成されることも可能にする。
【０２８２】
ＳＬＳ製造はまた、少なくとも、カスタマイズされた履物要素自体を形成することに先立って金型を製造する必要がないため、従来の成形技法よりも有意に高速のカスタマイズされた履物要素を製造する方法も提供する。一実施形態では、入力パラメータを取得することから、競技者のための完成した部品を提供することまでのカスタマイズプロセス全体が、わずか数時間、またはおそらくそれより少ない時間で実施されることができる。結果として、ＳＬＳ製造および他の関連付加製造（または３Ｄ印刷）技法は、カスタマイズされた部品および／または従来の成形技法を使用して製造することが困難または不可能であろう構造を有する部品（広範囲のユーザのためにカスタマイズまたは設計されるかどうかにかかわらず）の両方を製造する効果的な方法を提供する。
【０２８３】
一実施形態では、限定されないが、色素および／または紫外線安定剤等の付加的材料が、着色された部品および／または経時的な紫外線への暴露に応じて色の変化（すなわち、退色または黄変）から保護される部品を提供するように、付加製造プロセスで利用される粉末材料に添加されてもよい。色素、紫外線安定剤、および／または他の添加剤が、材料の粉末化に先立って、材料の押出中に添加されてもよい、または液体または粉末形態で粉末材料に添加されてもよい。代替実施形態では、色が、部品の形成後に、スプレーコーティング、浸漬コーティング、または任意の他の適切なコーティング技法を通して、構造に添加されることができる。色は、任意の適切な塗料、インク、または他の着色剤または化学物質によって提供されてもよい。
【０２８４】
製造プロセス中に添加され得る他の添加剤は、酸化防止剤、帯電防止剤、および／または増白剤（例えば、蛍光増白剤）を含んでもよいが、それらに限定されない。例示的酸化防止剤は、芳香族アミン、フェノール、亜リン酸塩およびホスホニト、チオ相乗剤、ヒンダードアミン安定剤、ヒドロキシルアミン、ベンゾフラノン誘導体、および／またはアクリロイル修飾フェノールを含んでもよいが、それらに限定されない。例示的帯電防止剤は、脂肪酸エステル、エトキシ化アルキルアミン、ジエタノールアミド、および／またはエトキシ化アルコールを含んでもよいが、それらに限定されない。例示的蛍光増白剤は、ビス−ベンゾオキサゾール、フェニルクマリン、および／またはビス−（スチリル）ビフェニルを含んでもよいが、それらに限定されない。
【０２８５】
一実施形態では、限定されないが、粉末Ｃａｂ−Ｏ−Ｓｉｌ（Ｒ）ヒュームドシリカ（例えば、Ｃａｂｏｔ  Ｃｏｒｐｏｒａｔｉｏｎ（Ｔｗｏ  Ｓｅａｐｏｒｔ  Ｌａｎｅ，  Ｓｕｉｔｅ  １３００，  Ｂｏｓｔｏｎ，  ＭＡ  ０２２１０，ＵＳＡ）から入手可能なＣａｂ−Ｏ−Ｓｉｌ（Ｒ）ＰＳ５３０ヒュームドシリカ）等の流動剤が、例えば、その開示がその全体として本明細書に組み込まれる、Ｃｌａｕｓｅｎ  ｅｔ  ａｌ．に対する米国特許第６，１１０，４１１号で説明されるように、付加製造システム内の粉末槽内の材料の堆積中に材料の流動を向上させるように、粉末材料に添加されることができる。
【０２８６】
一実施形態では、部品は、形成後に増大した最終サイズまで膨張または発泡するように、それへの暴露に応じて別の材料と化学的に反応する材料から形成されてもよい。例えば、部品は、還元状態での形成後に、部品が液体への暴露によってその完成した状態まで膨張することができるように、液体（例えば、水）への暴露に応じて膨張する材料から形成されてもよい。
【０２８７】
一実施形態では、発泡剤が、（押出中または未加工材料の粉末化中または後のいずれかで）製造材料に添加されてもよい。結果として、部品が、例えば、後処理金型またはオーブン内の制御された条件（例えば、制御された熱および圧力条件）への部品の暴露に応じて、発泡して部品を膨張させるように設計される発泡剤を含む、付加製造を通して形成されることができる。結果として、部品は、縮小サイズで付加製造を通して形成されることができ、部品内の発泡剤は、その後、完成した発泡部品を生成するように活性化される。これは、製造中に大いに低減した体積要件を可能にする縮小サイズで付加製造技法を通してオブジェクトの形成を可能にすることができ、部品は、その後、発泡剤の活性化を通してそれらの所望のサイズまで膨張され、それによって、有意により多くの部品が単一の製造行程で製造されることを可能にする。付加製造を通した部品の形成後の発泡剤の活性化による部品の発泡はまた、付加製造のみを通して形成され得るものと異なる構造性質（例えば、低減した密度、増加した緩衝等）を有する部品を作成することもできる。発泡剤は、限定されないが、窒素、二酸化炭素、炭化水素（例えば、プロパン）、クロロフルオロカーボン、希ガス、および／またはそれらの混合物等の当業者に公知である任意の適切なタイプの物理的発泡剤を含んでもよい、または本質的にそれから成ってもよい。一例示的実施形態では、発泡剤は、窒素を含む、または本質的にそれから成る。例示的発泡剤および使用方法は、その開示が参照することによってその全体として本明細書に組み込まれる、米国特許公開第２０１２−０１９６１１５Ａ１号で説明される。本明細書に説明される方法およびシステムとともに使用するための例示的発泡剤は、限定されないが、修飾重炭酸ナトリウムから形成される、Ｋｙｃｅｒｏｌ  ９１またはＫｙｃｅｒｏｌ  ９２等の吸熱発泡剤である。使用され得る別の例示的発泡剤は、シェル層（例えば、アクリルコポリマー）によってカプセル化された液化発泡剤（例えば、液化炭化水素）を伴う熱膨張性マイクロカプセルを含む。そのような発泡剤の実施例は、Ｃｅｌｌｃｏｍ−ＣＡＰ／１７０Ｋである。
【０２８８】
ＳＬＳまたは他の付加製造技法の使用は、従来の製造技法を使用して作成することが困難または不可能であろう、ユニークな構造および構造の組み合わせの形成を可能にする。そのような構造は、例えば、相互係止された多重構成要素構造（図５８Ａ−５８Ｅに示される構造要素および連結要素を伴う中底等）を生成するように、ＳＬＳ製造中に同時に統合状態で形成される、複数の別個の要素を含んでもよい。靴甲９９５の内部９９７内に形成された複数の靴底要素９９６とともに靴甲９９５を有する、靴９９４を含む、例示的構造が、図６５に示されている。本実施形態では、靴底要素９９６は、靴９９４用の地面接触表面を形成するように靴甲９９５内の開口部９９９を通って延在する、複数の牽引要素９９８を含む。
【０２８９】
一実施形態では、ＳＬＳ製造の利用は、入力パラメータが遠隔で（例えば、競技施設で、店内で、または自宅でさえも）測定または選択されることを可能にし、入力パラメータは、（ユーザが、入力パラメータおよび種々の選択基準を使用して、自分で履物構成要素を設計することを可能にするように適合される、設計プログラムを使用して）遠隔またはユーザ場所のいずれかで分析される、またはユーザ／競技者から入力パラメータデータを受信することに応じて製造施設で分析される。分析ツールは、性能測定基準およびユーザ選好に基づく設計を、カスタマイズされた部品を形成するようにＳＬＳ機械に直接送信されることができるコンピュータ可読ファイル（例えば、ＣＡＤファイル）に変換するためのアルゴリズムを含んでもよい。分析ツールは、例えば、ＰＣまたは携帯用電子デバイス上に記憶されることができ、カスタマイズされた履物構成要素の構築のために、無線または有線ネットワークを経由して、入力パラメータ、ユーザ選択基準、性能測定基準情報、および／または最終設計情報を製造ツールに送信することができる、プログラムまたはアプリケーション（アプリ）を含んでもよい。結果として、競技者は、カスタマイズされた設計を遠隔で作成し、その設計を製造ツールに送信し、部品を製造させてユーザにすぐに返送させることができる。測定ツール（例えば、圧力センサアレイおよび／または身体走査および／または測定ツール等の測定デバイス）が、靴屋に、競技施設または会場に、および／または自宅に位置することができる一方で、製造ツール（例えば、ＳＬＳ機械）は、靴屋に、競技施設または会場に、および／または遠隔製造場所に位置することができる。代替として、ユーザは、自宅でカスタマイズされた履物要素を構築するために携帯用顧客付加製造ツールを利用することができる。
【０２９０】
一実施形態では、製造プロセスを通して、例えば、ＳＬＳを通して形成される、１つまたは複数の部品は、付加的審美的および／または構造特性を提供するように後処理されることができる。そのような後処理は、部品の構造特性を支援または修飾する材料で部品を塗装するステップおよび／または部品をコーティングするステップ、部品に１つまたはそれを上回る材料を注入するステップ、１つまたはそれを上回る材料で部品内の空洞を充填するステップ、および／または部品を被覆材料で包むステップを含んでもよい。
【０２９１】
本発明の一実施形態では、個々の競技者毎に個別にカスタマイズされた履物を提供するのではなく、複数の所定の履物オプションが、自分の具体的必要性および特性に応じて最も適切なオプションを選定する競技者に提供されることができる。例えば、競技者データの複数のデータセット（例えば、圧力および力データ）は、いくつかの所定のカテゴリにカテゴリ化されることができ、カテゴリは、限定されないが、足衝打場所（例えば、踵で衝打する人、中足で衝打する人、または前足で衝打する人）、回内／回外のレベル、直線走行または曲線トラック走行等の特性によって判定される。本実施形態では、競技者は、競技者が適合する１つまたは複数のカテゴリに基づいて、製造前または製造後の「カスタマイズされた」靴を選択することができる。一具体的実施形態では、靴は、踵で衝打する人、中足で衝打する人、および／または前足で衝打する人のために具体的に設定された牽引要素を伴う、限定数の異なるオプションで提供されることができる。
【０２９２】
本発明の一実施形態は、競技者および他のユーザによる使用のために衣服および／または機器を設計して製造するように、本明細書に説明される方法およびアルゴリズムの利用を可能にする。例えば、個人の身体的特性の測定が、限定されないが、保護ヘルメット、上半身および／または下半身用の保護衣類（例えば、保護材料またはスリーブを組み込むシャツおよび／またはパンツ、および／または着用者の四肢および／または胴の上に配置するための保護材料を組み込む巻物）、保護詰め物等の衣服類をカスタム設計するために使用されてもよい。スポーツ活動を実施する競技者の関連性能測定もまた、衣服が性能を犠牲にすることなく要求される保護を提供することを確実にするために、入力パラメータに組み込まれることができる。例えば、競技者の頭部の形状およびサイズの測定が、その競技者用のカスタム仕上げされたヘルメットを設計する方法の入力パラメータとして使用されることができる。一実施形態では、入力パラメータは、ヘルメットをさらにカスタマイズし、提供される保護を損なうことなく着用者の運動性能へのヘルメットの影響を限定するために使用され得る、競技者の動き（例えば、頸部の回転および／または頸筋の撓曲に起因する頸部の形状の変化）の測定を含むことができる。一実施形態では、カスタマイズされた詰め物（例えば、肩パッド、肘パッド、胴の詰め物、前腕の詰め物、脛パッド、腰の詰め物等）が、保護を要求する身体の部分の身体的特性を測定すること、および／または詰め物が設計される競技活動の実施中にその身体部分の動きに関する測定を取得することによって、競技者のために提供されることができる。カスタマイズされたヘルメット、衣服、および／または詰め物は、限定されないが、ラクロス、アメリカンフットボール、アイスホッケー、フィールドホッケー、ラグビー、サッカー、野球、ソフトボール、武術、および／またはボクシング等のスポーツで有益であり得る。
【０２９３】
一実施形態では、（例えば、アイスホッケー、スピードスケート、およびアイスダンス中の）スケート用の履物およびブレードは、（例えば、着用者のスケートスタイルおよび／または特定の競技活動中に着用者によって実施される特定の動きに関する）着用者の身体的特性および／または着用者の性能特性に基づいて、特定のスケート選手のためにカスタマイズされてもよい。限定されないが、ＳＬＳ等の製造方法が、プラスチックおよび金属の両方を含む、多くの材料からの構成要素の製造を可能にするため、限定されないが、ブレード、ブレードアタッチメント、靴底、および／または靴甲を含む、スケートの複数の部品が、カスタマイズ製造されることができる。
【０２９４】
本発明の一実施形態は、ユーザの身体的特性および／またはユーザの性能特性を通して（例えば、具体的競技者の競技活動の実施中のスポーツ用品の力、圧力、応力、歪み、および／または撓曲の測定を通して）、限定されないが、ラクロスヘッド、ラクロスネット、ゴルフクラブ、テニスラケット、任意のスポーツ用品用の握持要素、ホッケースティック（および例えば、そのヘッドおよび／または握持部分）等のスポーツ用品（またはその要素）の設計および製造のために、本明細書に説明される方法およびアルゴリズムの利用を可能にする。
【０２９５】
代替実施形態、および／または実施形態または代替実施形態の構築で使用される材料は、本明細書に説明される全ての他の実施形態に適用可能であることを理解されたい。
【０２９６】
本発明は、その精神または必須特性から逸脱することなく、他の具体的形態で具現化され得る。前述の実施形態は、したがって、本明細書に説明される本発明を限定するのではなく、あらゆる点で例証的と見なされるものである。本発明の範囲は、したがって、前述の側面によってではなく、添付の請求項によって示され、請求項の意味および等価の範囲内に入る全ての変化は、その中に包含されることを意図している。
【図１】
2018519056.tif 000003
【図２】
2018519056.tif 000004
【図３】
2018519056.tif 000005
【図４Ａ】
2018519056.tif 000006
【図４Ｂ】
2018519056.tif 000007
【図５Ａ】
2018519056.tif 000008
【図５Ｂ】
2018519056.tif 000009
【図６Ａ】
2018519056.tif 000010
【図６Ｂ】
2018519056.tif 000011
【図６Ｃ】
2018519056.tif 000012
【図７Ａ】
2018519056.tif 000013
【図７Ｂ】
2018519056.tif 000014
【図７Ｃ】
2018519056.tif 000015
【図８Ａ】
2018519056.tif 000016
【図８Ｂ】
2018519056.tif 000017
【図８Ｃ】
2018519056.tif 000018
【図９Ａ】
2018519056.tif 000019
【図９Ｂ】
2018519056.tif 000020
【図９Ｃ】
2018519056.tif 000021
【図１０Ａ】
2018519056.tif 000022
【図１０Ｂ】
2018519056.tif 000023
【図１０Ｃ】
2018519056.tif 000024
【図１０Ｄ】
2018519056.tif 000025
【図１１Ａ】
2018519056.tif 000026
【図１１Ｂ】
2018519056.tif 000027
【図１２Ａ】
2018519056.tif 000028
【図１２Ｂ】
2018519056.tif 000029
【図１２Ｃ】
2018519056.tif 000030
【図１３Ａ】
2018519056.tif 000031
【図１３Ｂ】
2018519056.tif 000032
【図１３Ｃ】
2018519056.tif 000033
【図１４Ａ】
2018519056.tif 000034
【図１４Ｂ】
2018519056.tif 000035
【図１４Ｃ】
2018519056.tif 000036
【図１５Ａ】
2018519056.tif 000037
【図１５Ｂ】
2018519056.tif 000038
【図１５Ｃ】
2018519056.tif 000039
【図１６Ａ】
2018519056.tif 000040
【図１６Ｂ】
2018519056.tif 000041
【図１６Ｃ】
2018519056.tif 000042
【図１７Ａ】
2018519056.tif 000043
【図１７Ｂ】
2018519056.tif 000044
【図１７Ｃ】
2018519056.tif 000045
【図１７Ｄ】
2018519056.tif 000046
【図１７Ｅ】
2018519056.tif 000047
【図１７Ｆ】
2018519056.tif 000048
【図１７Ｇ】
2018519056.tif 000049
【図１７Ｈ】
2018519056.tif 000050
【図１７Ｉ】
2018519056.tif 000051
【図１７Ｊ】
2018519056.tif 000052
【図１７Ｋ】
2018519056.tif 000053
【図１７Ｌ】
2018519056.tif 000054
【図１７Ｍ】
2018519056.tif 000055
【図１７Ｎ】
2018519056.tif 000056
【図１７Ｏ】
2018519056.tif 000057
【図１７Ｐ】
2018519056.tif 000058
【図１８】
2018519056.tif 000059
【図１９Ａ】
2018519056.tif 000060
【図１９Ｂ】
2018519056.tif 000061
【図２０Ａ】
2018519056.tif 000062
【図２０Ｂ】
2018519056.tif 000063
【図２１Ａ】
2018519056.tif 000064
【図２１Ｂ】
2018519056.tif 000065
【図２２Ａ】
2018519056.tif 000066
【図２２Ｂ】
2018519056.tif 000067
【図２３Ａ−２３Ｂ】
2018519056.tif 000068
【図２３Ｃ】
2018519056.tif 000069
【図２４Ａ】
2018519056.tif 000070
【図２４Ｂ】
2018519056.tif 000071
【図２４Ｃ】
2018519056.tif 000072
【図２５Ａ】
2018519056.tif 000073
【図２５Ｂ】
2018519056.tif 000074
【図２５Ｃ】
2018519056.tif 000075
【図２５Ｄ】
2018519056.tif 000076
【図２５Ｅ】
2018519056.tif 000077
【図２６Ａ】
2018519056.tif 000078
【図２６Ｂ】
2018519056.tif 000079
【図２７】
2018519056.tif 000080
【図２８Ａ】
2018519056.tif 000081
【図２８Ｂ】
2018519056.tif 000082
【図２９Ａ】
2018519056.tif 000083
【図２９Ｂ】
2018519056.tif 000084
【図３０Ａ】
2018519056.tif 000085
【図３０Ｂ】
2018519056.tif 000086
【図３１Ａ】
2018519056.tif 000087
【図３１Ｂ】
2018519056.tif 000088
【図３２Ａ】
2018519056.tif 000089
【図３２Ｂ】
2018519056.tif 000090
【図３２Ｃ】
2018519056.tif 000091
【図３２Ｄ】
2018519056.tif 000092
【図３３】
2018519056.tif 000093
【図３４Ａ】
2018519056.tif 000094
【図３４Ｂ】
2018519056.tif 000095
【図３４Ｃ】
2018519056.tif 000096
【図３４Ｄ】
2018519056.tif 000097
【図３４Ｅ】
2018519056.tif 000098
【図３４Ｆ】
2018519056.tif 000099
【図３５】
2018519056.tif 000100
【図３６Ａ】
2018519056.tif 000101
【図３６Ｂ】
2018519056.tif 000102
【図３６Ｃ】
2018519056.tif 000103
【図３６Ｄ】
2018519056.tif 000104
【図３６Ｅ】
2018519056.tif 000105
【図３７Ａ】
2018519056.tif 000106
【図３７Ｂ】
2018519056.tif 000107
【図３７Ｃ】
2018519056.tif 000108
【図３７Ｄ】
2018519056.tif 000109
【図３８Ａ】
2018519056.tif 000110
【図３８Ｂ】
2018519056.tif 000111
【図３９Ａ】
2018519056.tif 000112
【図３９Ｂ】
2018519056.tif 000113
【図４０Ａ】
2018519056.tif 000114
【図４０Ｂ】
2018519056.tif 000115
【図４１Ａ】
2018519056.tif 000116
【図４１Ｂ】
2018519056.tif 000117
【図４２】
2018519056.tif 000118
【図４３Ａ】
2018519056.tif 000119
【図４３Ｂ】
2018519056.tif 000120
【図４４】
2018519056.tif 000121
【図４５】
2018519056.tif 000122
【図４６】
2018519056.tif 000123
【図４７Ａ】
2018519056.tif 000124
【図４７Ｂ】
2018519056.tif 000125
【図４８】
2018519056.tif 000126
【図４９】
2018519056.tif 000127
【図５０】
2018519056.tif 000128
【図５１Ａ】
2018519056.tif 000129
【図５１Ｂ】
2018519056.tif 000130
【図５１Ｃ】
2018519056.tif 000131
【図５１Ｄ】
2018519056.tif 000132
【図５２】
2018519056.tif 000133
【図５３】
2018519056.tif 000134
【図５４Ａ】
2018519056.tif 000135
【図５４Ｂ】
2018519056.tif 000136
【図５５Ａ】
2018519056.tif 000137
【図５５Ｂ】
2018519056.tif 000138
【図５６Ａ】
2018519056.tif 000139
【図５６Ｂ】
2018519056.tif 000140
【図５７】
2018519056.tif 000141
【図５８Ａ】
2018519056.tif 000142
【図５８Ｂ】
2018519056.tif 000143
【図５８Ｃ】
2018519056.tif 000144
【図５８Ｄ】
2018519056.tif 000145
【図５８Ｅ】
2018519056.tif 000146
【図５９Ａ】
2018519056.tif 000147
【図５９Ｂ】
2018519056.tif 000148
【図５９Ｃ】
2018519056.tif 000149
【図５９Ｄ】
2018519056.tif 000150
【図５９Ｅ】
2018519056.tif 000151
【図６０Ａ】
2018519056.tif 000152
【図６０Ｂ】
2018519056.tif 000153
【図６０Ｃ】
2018519056.tif 000154
【図６０Ｄ】
2018519056.tif 000155
【図６０Ｅ】
2018519056.tif 000156
【図６１Ａ】
2018519056.tif 000157
【図６１Ｂ】
2018519056.tif 000158
【図６２Ａ】
2018519056.tif 000159
【図６２Ｂ】
2018519056.tif 000160
【図６２Ｃ】
2018519056.tif 000161
【図６２Ｄ】
2018519056.tif 000162
【図６３Ａ】
2018519056.tif 000163
【図６３Ｂ】
2018519056.tif 000164
【図６３Ｃ】
2018519056.tif 000165
【図６３Ｄ】
2018519056.tif 000166
【図６３Ｅ】
2018519056.tif 000167
【図６３Ｆ】
2018519056.tif 000168
【図６３Ｇ】
2018519056.tif 000169
【図６４Ａ】
2018519056.tif 000170
【図６４Ｂ】
2018519056.tif 000171
【図６５】
2018519056.tif 000172
【図６６Ａ】
2018519056.tif 000173
【図６６Ｂ】
2018519056.tif 000174
【図６６Ｃ】
2018519056.tif 000175
【図６６Ｄ】
2018519056.tif 000176
【図６７Ａ】
2018519056.tif 000177
【図６７Ｂ】
2018519056.tif 000178
【図６７Ｃ】
2018519056.tif 000179
【図６７Ｄ】
2018519056.tif 000180
【図６７Ｅ】
2018519056.tif 000181
【国際調査報告】
2018519056.tif 000182
2018519056.tif 000183
2018519056.tif 000184
2018519056.tif 000185
2018519056.tif 000186